(57)【要約】【課題】画像の量に対応するインキコストなど各条件に即した印刷料金をきめ細かく演算、課金、表示する、また、印刷機特有の「版付け」、「試し印刷キー」による調整用の印刷について課金をしないようにした印刷装置を提供すること。【解決手段】インキの種類検知手段と、インキ種類毎の用紙任意枚数当たりの印刷料金データを記憶する記憶手段を有し、インキ種類検知手段からのデータに基づき、任意枚数当たりの印刷料金を記憶手段から選択し、演算手段による演算に使用して印刷料金に加味して課金し、課金装置８０の表示部８２に表示することとした。また、印刷機特有の「版付け」、「試し印刷キー」による調整用の印刷については、入力した値数の回数分の印刷について課金対象から除外できるようにした。【選択図】図１
2005028666.tif 000002
【特許請求の範囲】
【請求項１】
取得した画像データをマスタに書き込む書き込み手段と、前記マスタを版胴に巻き付けて印刷する印刷手段と、用紙を印刷部へ送り込む給紙手段と、印刷を行った用紙を排出する排紙手段と、用紙の枚数をカウントするカウント手段と、任意枚数当たりの印刷料金データを記憶する記憶手段と、前記カウント手段によりカウントされた印刷枚数と任意枚数当たりの料金データを基に印刷料金を演算する演算手段と、演算手段により得られた料金を課金する課金手段を有する印刷装置であって、
製版直後の印刷であって印刷枚数にカウントせず課金しない印刷枚数がｎ（ｎ≧０）枚であることを特徴とする印刷装置。
【請求項２】
請求項１記載の印刷装置において、ｎ＝１であることを特徴とする印刷装置。
【請求項３】
請求項１又は２記載の印刷装置において、前記ｎ（ｎ≧０）の入力手段を具備していることを特徴とする印刷装置。
【請求項４】
取得した画像データをマスタに書き込む書き込み手段と、前記マスタを版胴に巻き付け印刷する印刷手段と、用紙を印刷部へ送り込む給紙手段と、印刷を行った用紙を排出する排紙手段と、用紙の枚数をカウントするカウント手段と、任意枚数当たりの印刷料金データを基に印刷料金を演算する演算手段と、演算手段により得られた料金を課金する課金手段と、印刷条件を入力する入力手段を有する印刷装置であって、
前記入力手段に備えた「試し印刷キー」の操作により行われる印刷を課金しないことを特徴とする印刷装置。
【請求項５】
請求項４に記載の印刷装置であって、
同一のマスタについて前記「試し印刷キー」による印刷可能な回数が任意の回数に制限されることを特徴とする印刷装置。
【請求項６】
請求項５に記載の印刷装置であって、
同一のマスタについて前記「試し印刷キー」により可能とされる任意の印刷枚数が入力可能であることを特徴とする印刷装置。
【請求項７】
取得した画像データをマスタに書き込む書き込み手段と、前記マスタを巻き付け印刷する印刷手段と、用紙を印刷部へ送り込む給紙手段と、印刷を行った用紙を排出する排紙手段と、用紙の枚数をカウントするカウント手段と、任意枚数当たりの印刷料金データを記憶する記憶手段と、前記カウント手段によりカウントされた印刷枚数と任意枚数当たりの印刷料金データを基に印刷料金を演算する演算手段と、演算手段により得られた料金を課金する課金手段を有する印刷装置であって、
インキの種類検知手段と、インキ種類毎の用紙任意枚数当たりの印刷料金データを記憶する記憶手段を有し、インキ種類検知手段からのデータに基づき、任意枚数当たりの印刷料金を記憶手段から選択し、前記演算手段による演算に使用することを特徴とする印刷装置。
【請求項８】
取得した画像データをマスタに書き込む書き込み手段と、前記マスタを巻き付け印刷する印刷手段と、用紙を印刷部へ送り込む給紙手段と、印刷を行った用紙を排出する排紙手段と用紙の枚数をカウントするカウント手段と、任意枚数当たりの印刷料金データを記憶する記憶手段と、前記カウント手段によりカウントされた印刷枚数と任意枚数当たりの印刷料金データを基に演算する演算手段と、演算手段により得られた料金を課金する課金手段を有する印刷装置であって、
印刷濃度可変手段と、印刷濃度毎の用紙任意枚数当たりの印刷料金データを記憶する記憶手段を有し、印刷濃度可変手段からのデータに基づき任意枚数当たりの印刷料金を記憶手段から選択し、前記演算手段による演算に使用することを特徴とする印刷装置。
【請求項９】
予め画像データを取得する画像取得手段と、取得した画像データを記憶する記憶手段と、取得した画像データをマスタに書き込む書き込み手段と、前記マスタを巻き付け印刷する印刷手段と、用紙を印刷部へ送り込む給紙手段と、印刷を行った用紙を排出する排紙手段と、印刷用紙の枚数をカウントするカウント手段と、任意枚数当たりの印刷料金データを記憶する記憶手段と、前記カウント手段によりカウントされた印刷枚数と任意枚数当たりの印刷料金データを基に印刷料金を演算する演算手段と、演算手段により得られた料金を課金する課金手段を有する印刷装置であって、
記憶した画像データの量に応じて画像データ量毎の用紙任意枚数当たりの印刷料金データを記憶する記憶手段を有し、画像データ量に基づき任意枚数当たりの印刷料金を記憶手段から選択し、前記演算手段による演算に使用することを特徴とする印刷装置。
【請求項１０】
取得した画像データをマスタに書き込む書き込み手段と、前記マスタを版胴に巻き付けて印刷する印刷手段と、用紙を印刷部へ送り込む給紙手段と、印刷を行った用紙を排出する排紙手段と、用紙の枚数をカウントするカウント手段と、任意枚数当たりの印刷料金データを記憶する記憶手段と、前記カウント手段によりカウントされた印刷枚数と任意枚数当たりの料金データを基に印刷料金を演算する演算手段と、演算手段により得られた料金を課金する課金手段を有する印刷装置であって、
印刷速度可変手段と、印刷速度毎の用紙任意枚数当たりの印刷料金データを記憶する記憶手段を有し、印刷速度可変手段からのデータに基づき、任意枚数当たりの印刷料金を記憶手段から選択し、前記の演算手段による演算に使用することを特徴とする印刷装置。
【請求項１１】
請求項１乃至９の何れかに記載の印刷装置であって、
用紙のサイズ検知手段と、用紙サイズ毎の用紙任意枚数当たりの印刷料金データを記憶する記憶手段と、前記カウント手段によりカウントされた印刷枚数と任意枚数当たりの印刷料金データを基に印刷料金を演算する演算手段とを有する印刷装置。
【請求項１２】
請求項７乃至１１の何れかに記載の印刷装置であって、
前記料金データは、入力手段からの入力により変更可能なことを特徴とする印刷装置。
【請求項１３】
請求項１乃至１２の何れかに記載の印刷装置であって、
前記２つ以上の請求項を組み合わせた構成としたことを特徴とする印刷装置。
【請求項１４】
請求項１乃至１３の何れかに記載の演算手段または課金手段で得られた結果を表示する表示手段を有することを特徴とする印刷装置。
【請求項１５】
請求項１乃至１４の何れかに記載の何れかに記載の印刷装置であって、
任意枚数当たりの印刷料金データを記憶する記憶手段と、前記カウント手段によりカウントされた印刷枚数と任意枚数当たりの印刷料金データを基に印刷料金を演算する演算手段と、演算手段による得られた料金を課金する課金手段と、演算手段または課金手段で得られた結果を表示する表示手段と、印刷料金データを入力する入力手段のうち少なくとも１つ以上を別体としたことを特徴とする印刷装置。
【請求項１６】
請求項１乃至１５の何れかに記載の印刷装置であって、
マスタにかかる料金を記憶する記憶手段と、前記記憶手段のデータを個別に、または印刷料金を加算して課金し、その結果を表示する表示手段を有することを特徴とする印刷装置。
【発明の詳細な説明】
【０００１】
【発明の属する技術分野】
この発明は、画像データをマスタに製版し、用紙に印刷する印刷装置に関して、印刷料金を自動演算し課金額を表示する印刷装置に関する。
【０００２】
【従来の技術】
現在、コンビニエンスストア、プリントショップなどで、コピーサービスやプリントサービスを行うことが多くなってきている。これらのサービスで使用されている画像形成装置は、その殆どがＰＰＣ（ｐｌａｉｎ  ｐａｐｅｒ  ｃｏｐｙ）複写機であり、印刷機はないのが現状である。
【０００３】
ＰＰＣで画像を形成する場合、電源オン後の立ち上がり時間は比較的長いが、殆どの場合、印刷１枚目よりきれいな画像が立ち上がる。そのため、ユーザーは、印刷枚数分の費用を支払えば、費用分の印刷物を得ることができる。経営者側も料金分の印刷のみ行われるため、事業採算の計算ができる。
【０００４】
一方、孔版印刷機において、プリント枚数データサイズ及び記録用紙サイズに応じた一枚当たりのプリント料金データを基に料金を演算し、演算結果を表示手段に表示させる課金システムが提案されている（例えば、特許文献１参照）。
【０００５】
しかし、（１）  印刷料金の算定にあたっては、印刷画像の色、画像の大きさ、画像濃度など、用いるインキの種類や量に関連して印刷料金も変わって然るべきところ、かかる点に言及した従来技術は見当たらない。（２）  印刷料金の算定にあたっては、版付けや画像調整のために最初の１枚ないし数枚分が使用に耐えられない場合があるのに、かかる使用に耐えないような画像の印刷物まで印刷料金の算定対象となっている。
【０００６】
上記（１）  の点については、インキの種類として、各種カラー別に単価がそれぞれ異なるという現実がある。
【０００７】
上記（２）  の点については、孔版印刷機においては、電源オン後の立ち上がり時間は短いものの、気温が低く、長時間放置していた場合など、条件によっては、１回目の製版・印刷では、１枚目〜３枚目程度は画像が薄く文字がはっきり読み取れない場合がある。
【０００８】
この場合、ユーザーは料金を払っているため、クレームとなることも予想される。一般的に孔版印刷機では、製版直後の１枚目を「版付け」印刷と呼び（以下、「版付け」という。）、カウント手段による枚数に含めていない。よって、例えば、１０枚の印刷を得るために１０枚とカウンタに入力して製版／印刷を行うと、版付け、１枚目、２枚目…１０枚目とカウントするので、計１１枚の印刷を行う。版付けをカウントしない理由は、前述のとおり、条件によっては版付け印刷された像が使用に耐えられない場合があり得るからである。
【０００９】
一方、印刷機の一般的な使用方法として、画像位置合わせという動作がある。ある原稿を製版、印刷と版付けを行い、一旦動作を停止する。版付けの印刷物より画像位置を確認し、ユーザーの意図していた位置からずれている場合には、操作パネルのキーでの設定変更や給紙台のレバー等を動かし、画像位置の設定変更を行う。
【００１０】
その後、「試し印刷キー」を押下すると、１枚印刷されるので、その印刷物で画像位置の再確認を行う。更に画像位置を変更したい場合には、前述の動作を再度行う。画像位置に問題なければ、「印刷キー」を押下し、印刷を行う。
【００１１】
このように孔版印刷には、ＰＰＣにはない「試し印刷キー」による画像位置設定動作があるが、この「試し印刷キー」による印刷においてはカウント手段による枚数に含めるべきではない。しかし、「試し印刷キー」による印刷をカウント手段によるカウントに含めないとして、仮に、極論をいえば、１０枚全て「試し印刷キー」で印刷すれば０円で１０枚の印刷が可能となり、問題があった。
【００１２】
従来より、孔版印刷機は、多数枚を印刷する場合に、印刷速度が速いことが利点の一つであるが、１枚当たりのコストがＰＰＣに比較して安いことが大きな利点となっている。
【００１３】
そのため、利用者のコスト意識も高い。しかし、従来の装置では、色、画像の大きさ、画像濃度などインキのコストを無視して、また、版付けなど使用に耐えない印刷物に対しても一定の金額を課金しているので、コストメリットが現われにくいという問題があった。
【００１４】
【特許文献１】
特開平７−１０４６２２号公報
【００１５】
【発明が解決しようとする課題】
本発明は、上記の問題を解決し、画像の量に対応するインキコストなど各条件に即した印刷料金をきめ細かく演算、課金、表示する、また、印刷機特有の「版付け」、「試し印刷キー」による調整用の印刷について課金をしないようにした印刷装置を提供することを課題とする。
【００１６】
【課題を解決するための手段】
本発明は、前記目的を達成するため、以下の構成とした。
（１）．  取得した画像データをマスタに書き込む書き込み手段と、前記マスタを版胴に巻き付けて印刷する印刷手段と、用紙を印刷部へ送り込む給紙手段と、印刷を行った用紙を排出する排紙手段と、用紙の枚数をカウントするカウント手段と、任意枚数当たりの印刷料金データを記憶する記憶手段と、前記カウント手段によりカウントされた印刷枚数と任意枚数当たりの料金データを基に印刷料金を演算する演算手段と、演算手段により得られた料金を課金する課金手段を有する印刷装置であって、製版直後の印刷であって印刷枚数にカウントせず課金しない印刷枚数がｎ（ｎ≧０）枚であることとした（請求項１）。
（２）．  （１）記載の印刷装置において、ｎ＝１とした（請求項２）。
（３）．  （１）又は（２）記載の印刷装置において、前記ｎ（ｎ≧０）の入力手段を具備していることとした（請求項２）。
（４）．  取得した画像データをマスタに書き込む書き込み手段と、前記マスタを版胴巻き付け印刷する印刷手段と、用紙を印刷部へ送り込む給紙手段と、印刷を行った用紙を排出する排紙手段と、用紙の枚数をカウントするカウント手段と、任意枚数当たりの印刷料金データを基に印刷料金を演算する演算手段と、演算手段により得られた料金を課金する課金手段と、印刷条件を入力する入力手段を有する印刷装置であって、前記入力手段に備えた「試し印刷キー」の操作により行われる印刷をカウントせずに課金しないこととした（請求項４）。
（５）．  （４）に記載の印刷装置であって、同一のマスタについて前記「試し印刷キー」による印刷可能な回数が任意の回数に制限されることとした（請求項５）。
（６）．  （５）に記載の印刷装置であって、同一のマスタについて前記「試し印刷キー」により可能とされる任意の印刷枚数を入力可能とした（請求項６）。
（７）．  取得した画像データをマスタに書き込む書き込み手段と、前記マスタを巻き付け印刷する印刷手段と、用紙を印刷部へ送り込む給紙手段と、印刷を行った用紙を排出する排紙手段と、用紙の枚数をカウントするカウント手段と、任意枚数当たりの印刷料金データを記憶する記憶手段と、前記カウント手段によりカウントされた印刷枚数と任意枚数当たりの印刷料金データを基に印刷料金を演算する演算手段と、演算手段により得られた料金を課金する課金手段を有する印刷装置であって、インキの種類検知手段と、インキ種類毎の用紙任意枚数当たりの印刷料金データを記憶する記憶手段を有し、インキ種類検知手段からのデータに基づき、任意枚数当たりの印刷料金を記憶手段から選択し、前記演算手段による演算に使用することとした（請求項７）。
（８）．  取得した画像データをマスタに書き込む書き込み手段と、前記マスタを巻き付け印刷する印刷手段と、用紙を印刷部へ送り込む給紙手段と、印刷を行った用紙を排出する排紙手段と用紙の枚数をカウントするカウント手段と、任意枚数当たりの印刷料金データを記憶する記憶手段と、前記カウント手段によりカウントされた印刷枚数と任意枚数当たりの印刷料金データを基に演算する演算手段と、演算手段により得られた料金を課金する課金手段を有する印刷装置であって、印刷濃度可変手段と、印刷濃度毎の用紙任意枚数当たりの印刷料金データを記憶する記憶手段を有し、印刷濃度可変手段からのデータに基づき任意枚数当たりの印刷料金を記憶手段から選択し、前記演算手段による演算に使用することとした（請求項８）。
（９）．  予め画像データを取得する画像取得手段と、取得した画像データを記憶する記憶手段と、取得した画像データをマスタに書き込む書き込み手段と、前記マスタを巻き付け印刷する印刷手段と、用紙を印刷部へ送り込む給紙手段と、印刷を行った用紙を排出する排紙手段と、印刷用紙の枚数をカウントするカウント手段と、任意枚数当たりの印刷料金データを記憶する記憶手段と、前記カウント手段によりカウントされた印刷枚数と任意枚数当たりの印刷料金データを基に印刷料金を演算する演算手段と、演算手段により得られた料金を課金する課金手段を有する印刷装置であって、記憶した画像データの量に応じて画像データ量毎の用紙任意枚数当たりの印刷料金データを記憶する記憶手段を有し、画像データ量に基づき任意枚数当たりの印刷料金を記憶手段から選択し、前記演算手段による演算に使用することとした（請求項９）。
（１０）．  取得した画像データをマスタに書き込む書き込み手段と、前記マスタを版胴に巻き付けて印刷する印刷手段と、用紙を印刷部へ送り込む給紙手段と、印刷を行った用紙を排出する排紙手段と、用紙の枚数をカウントするカウント手段と、任意枚数当たりの印刷料金データを記憶する記憶手段と、前記カウント手段によりカウントされた印刷枚数と任意枚数当たりの料金データを基に印刷料金を演算する演算手段と、演算手段により得られた料金を課金する課金手段を有する印刷装置であって、印刷速度可変手段と、印刷速度毎の用紙任意枚数当たりの印刷料金データを記憶する記憶手段を有し、印刷速度可変手段からのデータに基づき、任意枚数当たりの印刷料金を記憶手段から選択し、前記の演算手段による演算に使用することとした（請求項１０）。
（１１）．  （１）乃至（９）の何れかに記載の印刷装置であって、用紙のサイズ検知手段と、用紙サイズ毎の用紙任意枚数当たりの印刷料金データを記憶する記憶手段と、前記カウント手段によりカウントされた印刷枚数と任意枚数当たりの印刷料金データを基に印刷料金を演算する演算手段とを有するものとした（請求項１１）。
（１２）．  （７）乃至（１１）の何れかに記載の印刷装置であって、前記料金データは、入力手段からの入力により変更可能とした（請求項１２）。
（１３）．  （１）乃至（１２）の何れかに記載の印刷装置であって、前記２つ以上の請求項を組み合わせた構成とした（請求項１３）。
（１４）．  （１）乃至（１３）の何れかに記載の演算手段または課金手段で得られた結果を表示する表示手段を有する構成とした（請求項１４）。
（１５）．  （１）乃至（１４）の何れかに記載の何れかに記載の印刷装置であって、任意枚数当たりの印刷料金データを記憶する記憶手段と、前記カウント手段によりカウントされた印刷枚数と任意枚数当たりの印刷料金データを基に印刷料金を演算する演算手段と、演算手段による得られた料金を課金する課金手段と、演算手段または課金手段で得られた結果を表示する表示手段と、印刷料金データを入力する入力手段のうち少なくとも１つ以上を別体とした（請求項１５）。
（１６）．  （１）乃至（１５）の何れかに記載の印刷装置であって、マスタにかかる料金を記憶する記憶手段と、前記記憶手段のデータを個別に、または印刷料金を加算して課金し、その結果を表示する表示手段を有する構成とした（請求項１６）。
【００１７】
以上の構成であれば、製版直後の印刷画像が薄い「版付け」を印刷のカウントに含まないようにできるので、ユーザーにとって、不要な料金を支払う必要がない。また、画像位置合わせに使用する「試し印刷キー」による印刷においても、ユーザーにとっては不要な料金を支払う必要がない。また、印刷機を管理する経営者にとっては、画像位置合わせに使用する「試し印刷キー」による印刷枚数を制限できるので、画像位置合わせ終了後の「試し印刷キー」による誤使用を防止し、印刷料金を確実に徴収できる。
【００１８】
また、インキの種類による単価の違いや、画像データ量による１枚当たりのインキ使用量の違いや、印刷濃度可変による１枚あたりのインキ使用量の違いや、印刷用紙サイズによる用紙単価の違いや、マスタにかかる値段などを、細かく演算、課金、表示などすることができる。
【００１９】
【発明の実施の形態】
［１］本発明が適用される印刷装置の例
本発明が適用される印刷装置は図１に示すように印刷装置本体部としての孔版印刷装置４０と、課金手段からなる。課金手段としては課金装置８０が用いられている。課金装置８０には箱形をしたケースに収められたハードウエアと該ハードウエアを制御して課金を行なう制御手段からなる。この課金を行なう制御手段は、ＣＰＵ及び電気回路を含む制御部と、制御プログラムからなる。
【００２０】
本例では、課金を行なうための制御部は、孔版印刷装置４０を駆動ための制御部と共用になっていて、図１に符号１００で示すように、孔版印刷装置４０の外装フレームの下部スペース内に設けられている。
【００２１】
このように、制御部１００は、孔版印刷装置４０を制御して通常の印刷動作を実行すると共に課金装置８０をも駆動制御して印刷代金を受け取る。なお、別の構成としては、孔版印刷装置４０に設けた制御部１００については、孔版印刷装置４０を専用に制御させ、課金装置８０を専用に制御する制御部を例えば課金装置８０に内蔵させて、これら２つの制御部を電気的に連結した構成、或いは、これら制御部を別体として設けた構成とすることもできる。
【００２２】
図１において孔版印刷装置４０は、用紙を収納したり、その他の備品を収納するスペースを有するテーブル２００上に載置されている。テーブル２００には車輪がついていて、移動可能になっている。課金装置８０は、孔版印刷装置４０やテーブル２００とは別体の箱形に構成されていて、これも、車輪が付いていて移動可能である。以下、これらの構成及び動作について説明する。
【００２３】
１．１  印刷装置の概略構成
本発明の前提となす印刷装置の一例として図２により孔版印刷装置４０の構成を説明する。孔版印刷装置４０は、以下に述べるように、主として、外装フレームに組み立てられた、操作パネル、製版書き込み装置、自動原稿読取装置、版胴、給紙トレイ、用紙搬送系、印刷部及びその周辺、排紙装置、諸検知手段、印刷濃度可変手段などから構成されている。
【００２４】
１．１ａ  操作パネル
図２に示した孔版印刷装置４０の外装フレームの上面部には、図３に示すような操作パネル５０が設けられている。操作パネル５０には、液晶などからなる情報を表示する表示画面などの表示部５１と、製版スタートを行う製版キー５２、印刷スタートを行う印刷キー５３、画像位置の確認等の仕上がり具合を確認するために行なう試し印刷キー５４、印刷枚数などを入力するテンキー群５５、印刷画像濃度可変用キー９０、各種設定や変更の際に使用するファンクションキー群５６、表示部５１上のカーソルを移動するカーソルキー５７、モードクリアキー７５、クリア／ストップキー７６などがある。表示部５１上には各種情報が表示される。
【００２５】
例えば、テンキー群５５により印刷枚数、ファンクションキー群５６により画像濃度、用紙サイズ、印刷速度、画像の位置、種類、部分的な濃度等を設定することができる。操作パネル５０は、制御部１００と情報の授受が行なわれるようになっている。
【００２６】
１．１ｂ  製版書き込み装置
図２に示した孔版印刷装置４０の右上方には製版書き込み装置２２が位置している。この製版書き込み装置２２において、マスタ１はロール状に巻かれてマスタロール１ａを構成している。マスタロール１ａのロール芯１ｂの両端部はフランジに固定されており、製版書き込み装置２２を組み込む側板に設けられたＵ字溝で位置を決められ、フランジ中心を軸に回転自在になっている。マスタ１はマスタロール１ａから引き出されて製版書き込み装置２２の図示しないケース側板に回転白在に支持されたプラテンローラ２により、無数の発熱素子を有するサーマルヘッド３上に押圧されている。
【００２７】
サーマルヘッド３は孔版印刷装置４０の図示しない側板に取り付けられており、マスタロール１ａより引き出されたマスタ１を溶融穿孔して、製版済みマスタを作成する。プラテンローラ２は、上記のとおり、製版書き込み装置２２の図示しないケース側板に回転自在に支持されており、図示しないステッピングモータの回転駆動により回転駆動され、マスタ１をサーマルヘッド３に押圧しつつ下流側へと搬送する。
【００２８】
プラテンローラ２のマスタ搬送方向下流側位置には、切断手段であるカッタ４が位置し、該カッタ４よりも更にマスタ搬送方向下流側には、搬送ローラ５、ガイド板２３、送り出しローラ６が順に配置されている。これら搬送ローラ５、送り出しローラ６は製版書き込み装置２２の図示しないケース側板に回転自在に支持されている。
【００２９】
搬送ローラ５は搬送駆動ローラと搬送従動ローラの対からなり、送り出しローラ６は送り出し駆動ローラと送り出し従動ローラの対からなる。これら各駆動ローラは図示しない駆動手段により回転駆動され、また、各従動ローラはそれぞれ対をなす駆動ローラにより連れ回りされる。マスタガイド板７は製版書き込み装置２２の図示しないケース側板に取り付けられていて、カッタ４により切断された製版済みマスタ１を挟持手段としてのクランパ９へ案内する働きを有している。
クランパ９は後述する版胴８上に位置している。
【００３０】
１．１ｃ  自動原稿読取装置
図２において、孔版印刷装置４０の上下左右の各方向上での略中央部に版胴８が位置している。そして、この版胴８の左斜め上方位置には、積層された原稿を一枚ずつ分離して搬送するＡＤＦ（Ａｕｔｏ  ｄｏｃｕｍｅｎｔ  ｆｅｅｄｅｒ：自動原稿給送装置）と、原稿の画像情報を読み取る読取装置を一体化した自動原稿読取装置１０が設けられている。自動原稿読取装置１０は原稿を順次自動的に搬送しながら原稿の画像情報を読み取る機能を有している。原稿セット部には一対のサイドフェンス２１ａ、ｂがあり、連動して図２における紙面を貫く方向の原稿間隔を狭めたり、広げたりして原稿の幅方向両端部に添うことができ、原稿の整列の乱れを防止すると共に、後述するように原稿のサイズを検知する手段を付帯する。
【００３１】
サイドフェンス２１ａ、ｂの下流側には原稿搬送ローラ３４と、原稿搬送コロ３５とが対をなしている。これら原稿搬送ローラ及び原稿搬送コロは原稿を一枚ずつ分離して搬送する。
【００３２】
これら原稿搬送ローラ、コロなどの下流には、原稿先端検知センサ４７Ｓが設けられている。この原稿先端検知センサ４７Ｓは、搬送される原稿の先端を検知してその検知情報により、製版書き込み装置２２との連携動作を行なう。
原稿先端検知検知センサ４７Ｓの下流側には、原稿を読み取るための原稿読取手段（ＣＩＳ（ｃｏｎｔａｃｔ  ｉｍａｇｅ  ｓｅｎｓｏｒ）又はＣＣＤ（ｃｈａｒｇｅ  ｃｏｕｐｌｅｄ  ｄｅｖｉｃｅ）センサ）４８が設けられていて、読み取られた原稿は、一対の搬送ローラ４９により原稿排紙台１１に排出されるようになっている。
【００３３】
１．１ｄ  版胴
図２において、版胴８は、その筒状体からなる多孔性支持円筒体の大部分が開孔部からなり、残部が非開孔部として構成されている。開孔部はその外周を覆う図示しない樹脂あるいは金属網体のメッシュスクリーンとが複数層巻装された構成である。
【００３４】
版胴８を構成する多孔性支持円筒体の内周部にはインキ供給手段の一部を構成するインキローラ（図８に符号６９で示す）が接しており、適量のインキを供給しつつ該版胴８の回転により回転駆動されるようになっている。
【００３５】
クランパ９はマスタを挟んで版胴８に保持する挟持手段であり、図示しない開閉装置により開閉されるようになっていて、閉じ状態でマスタの先端部を版胴８上に把持し、開き状態で解放する。
【００３６】
版胴８の左横方向の位置には排版装置３０が配設されている。排版装置３０は、上部排版手段３１、下部排版手段３２、排版ボックス３３等から主に構成されている。上部排版手段３１は、図示しない駆動手段で回転駆動される駆動ローラ３１ａと従動ローラ３１ｂ、及びこれら各ローラ間に掛け渡されたゴムベルト３１ｃ等から構成されている。
【００３７】
下部排版手段３２は、駆動ローラ３１ａと図示しないギヤによって連結されて回転駆動される駆動ローラ３２ａと従動ローラ３２ｂ、及び駆動ローラ３２ａ、従動ローラ３２ｂ間に掛け渡されたゴムベルト３２ｃ等から構成されている。
【００３８】
また、下部排版手段３２は、版胴８からの使用済みマスタ１を受け取る際に該版胴８に接近するために、駆動ローラ３２ａの中心軸を中心に左右方向に移動自在となっており、図示しない移動手段により移動される。下部排版手段３２の移動により駆動ローラ３２ａは駆動ローラ３１ａの外周面と接離自在となっている。
【００３９】
版胴８からの使用済みマスタは上部排版手段３１、下部排版手段３２により左方に送られて排版ボックス３３に送り込まれる。排版ボックス３３内には使用済みのマスタが溜まる。溜まった使用済みマスタを廃棄しやすいように、排版ボックス３３は排版装置３０に対して着脱可能な構成になっている。
【００４０】
版胴８の右斜め下側には用紙１３を収納し、また、必要に応じて版胴８側に送り出す給紙装置２４が設けられている。給紙装置２４は給紙トレイ１４と、用紙搬送方向下流側に向けて順に配置された給紙ローラ１５、分離ローラ１６、レジストローラ１７等の各ローラや、用紙をガイドするガイド板２５等からなる。
【００４１】
給紙ローラ１５と分離ローラ１６とは、最上位の用紙１３と当接するように設けられており、給紙ローラ１５は分離ローラ１６と同期して図示しない駆動手段（モータ等）により時計回りの向きに印刷速度に合った回転速度で駆動されるようになっている。
【００４２】
１．１ｅ  給紙トレイ
図２において、用紙１３は給紙トレイ１４上に載置されており、給紙ローラ１５、分離ローラ１６などの働きで１枚分離されて送り出される。給紙トレイ１４は上下動自在に支持されていて、用紙１３の送出により減少するのに応じて上昇し、また用紙を補充するときには下降するように構成されている。
【００４３】
給紙トレイ１４には図２には図示されていないが、図６、７に示すように紙面を貫く方向に対向して一対のサイドフェンス５５ａ、５５ｂが設けられていて連動して対向間隔が調節されて、用紙の幅に合わせることができるようになっている。このサイドフェンスの動きに連動して用紙の幅サイズを検知できる用紙サイズ検知手段がある。この用紙サイズ検知手段については、図６、図７により後述する。
【００４４】
給紙トレイ１４において、その版胴８に面した側、つまり、左側の部位は用紙の送り出し側に相当し、給紙ローラ１５、分離ローラ１６及びこれに付帯する分離手段により分離給紙手段が構成されている。この分離給紙手段は、給紙トレイ１４上に積載された用紙１３を一枚づつ分離給送する。
【００４５】
１．１ｆ  用紙搬送系
図２において、用紙搬送系路上、版胴８寄りの部位に設けられた一対のレジストローラ１７は、用紙トレイ部で分離給送されて搬送される用紙１３の先端部をくわえ込み、タイミングをとって該用紙１３をプレスローラ１２と版胴８と間に搬送する機能を有している。本例では、プレスローラ１２は版胴８の中心を通る下方位置に版胴に接離できるよう上下動可能に設けられている。
【００４６】
１．１ｇ  印刷部及びその周辺
ｉ．プレスローラ
プレスローラ１２は、給紙装置２４から搬送された用紙１３を版胴１の外周面に押圧する。本例では、プレスローラ１２により用紙１３を介して押圧される版胴８の周面部において該用紙１３にインキが転移されて印刷が行なわれるのでこのあたりを印刷部と称する。ガイド板２５は孔版印刷装置４０の１３側板に固着されており、レジストローラ１７の前後で用紙１３を案内する。
【００４７】
プレスローラ１２は、孔版印刷装置４０の側板に揺動自在に支持された図示しない支軸に固着されており、図示しない揺動手段により揺動されて、版胴８に接して回転する態様と、離間する態様をとり得る。プレスローラ１２は印刷時（通紙時）以外は図示しない機構により、版胴８より離間した実線で示す位置で保持されている。
【００４８】
ｉｉ．剥離爪
印刷時における版胴８の回転方向（時計回りの向きの回転方向）上であって、プレスローラ１２よりも下流側の位置には、版胴８の外周面より印刷済みの用紙を剥離する剥離爪１８が配設されている。
【００４９】
剥離爪１８も、孔版印刷装置４０の側板に揺動自在に支持された図示しない支軸に固着されており、所定のタイミングで図示しない揺動手段により揺動されて、印刷を終えた用紙１３を版胴８表面より剥離する。
【００５０】
１．１ｈ  排紙装置
図２において、版胴８の左下方には排紙装置２６が配置されている。排紙装置２６の右端部に従動ローラ２７が位置している。排紙装置２６は従動ローラ２７のほかに、左方に位置する駆動ローラ２８、これらローラ間に掛け回されたベルト２９、ベルト２９の下方に設けられた用紙吸引用のファン３０Ｆ、駆動ローラ２８に隣接して設けられた排紙トレイ２０等から主に構成されている。
【００５１】
従動ローラ２７と駆動ローラ２８とは、これらローラを一体化する図示しない構造体からなる排紙装置本体の側板に回転自在に支持されており、これらローラ間に掛け回されたベルト２９の表面には複数の通気開孔が形成されている。
【００５２】
駆動ローラ２８は図示しない駆動手段で回転駆動され、この回動力はベルト２９を介して従動ローラ２７に伝達される。ファン３０Ｆは、その回転により図において下向きの空気流を発生させる。こうして、ベルト２９に形成された前記通気開孔から吸引される空気により、該ベルトの表面に印刷済みの用紙１３を吸引し、ベルトと共に該用紙を排紙トレイ２０に向けて搬送する。
【００５３】
１．１ｉ  検知手段
本発明では、自動的に課金を行なうため、課金のもとになる各種情報を演算手段に認識させるための手段として各種の検知手段を用いる。
【００５４】
（１）  原稿サイズ検知手段
原稿サイズは、そのサイズに応じてマスタサイズや、用紙のサイズを設定するので、印刷実行時における課金額を定める要素となる。原稿サイズ検知手段を代表して図１１に符号６０１で示す。
【００５５】
原稿サイズの検知手段を、図２の自動原稿読取装置１０の原稿セット部について拡大した図４、図５を参照しつつ説明する。原稿セット部には一対のサイドフェンス２１ａ、２１ｂがある。サイドフェンス２１ａ、２１ｂはブックエンドような形状をしていて、原稿幅方向に対向しており、図示しないガイドにより原稿幅方向に拘束されて移動可能である。
【００５６】
各サイドフェンス２１ａ、２１ｂはそれぞれラック４１ａ、４１ｂと一体的であり、ピニオン４２を共通に噛み合っている。これにより、サイドフェンス２１ａ、２１ｂは連動して原稿幅方向に移動する。載置される原稿の幅に接するまでこれらサイドフェンス２１ａ、２１ｂを移動することで原稿を所謂センター基準で揃えることができる。
【００５７】
さらに、図５にも拡大して示すように、サイドフェンス２１ａ及びラック４１ａと一体的にスリット板４３が設けられている。このスリット板４３には該スリット板と垂直にかつ、原稿幅方向に長手方向を合わせて、長さの異なる複数のプレートが設けられている。これらのプレートの一つを符号４４で例示する。プレート４４は、サイドフェンス２１ａと一体のスリット板４３と共に原稿幅方向に移動する。
【００５８】
プレート４４の移動範囲内には、発光素子と受光素子を組み合わせた位置検知センサ４５Ｓが配置されている。プレート４４が位置検知センサ４５Ｓの発光素子と受光素子の間に位置するときと、位置しないときとで位置検知センサ４５Ｓはプレート４４の位置を検知できる。
【００５９】
プレート４４と同様の機能をもつ他のプレートを、その長さと、原稿幅方向での位置を異ならせて多数設け、また、これらプレートを対応させて位置検知センサを設けることで、各位置検知センサからの信号を得ることができ、これらの信号の組み合わせにより、サイドフェンス２１ａ、２１ｂ間の間隔、つまり、原稿の幅サイズを検知することができる。これらは、サイドフェンスのスライド動作に連動して原稿サイズを検知する原稿サイズ検知手段である。
【００６０】
（２）  画像データ、画像サイズの検知
原稿が存在する場合には、製版に先立ち、自動原稿読取装置１０を用いて原稿が読み取られ、読み取られた画像データから課金に必要なデータがＣＰＵ５００に取り込まれる。また、原稿に相当する情報がパソコンやスキャナなどの外部機器に記録された情報である場合には、画像データをＰＣコントローラ３００を介して制御部１００に入力することになる（図９参照）。ＰＣコントローラ３００は画像データを取得する画像取得手段であり、画像データに含まれる情報としては、画像サイズ、画像濃度、その他が含まれる。画像取得手段からの画像データにより画像量を測定してインキ量を算定して印刷料金を演算する材料を提供する。
【００６１】
画像データにより画像サイズ、画像濃度、画像量を検知でき、これらに応じてマスタサイズや、用紙のサイズ、インキ量が定まる。これらは印刷実行時における課金額を定める要素となる。また、印刷される画像濃度も設定することができる。パソコンやスキャナなどの外部機器から送られてきた画像データはＰＣコントローラ３００を介して制御部１００を構成する電気回路上のＣＰＵ５００に取り込まれ、画像のサイズを検知するほか、画像濃度など、印刷料金に反映される情報を得る。
【００６２】
（３）  用紙サイズ検知手段
用紙は印刷の都度、消費されるものであり、印刷実行時における課金額を定める要素となる。
図２に示した給紙トレイ１４に設けられた用紙サイズ検知手段について、図６、図７により説明する。図６（ａ）及び図７において、一対のサイドフェンス５５ａ、５５ｂは、基本的には、前記図４で説明したサイドフェンス２１ａ、２１ｂと同じ構成をしていて、ラックとピニオンの機構により、センター基準で用紙の幅に合わせることができる。
【００６３】
また、用紙の幅サイズも図５で説明したような検知手段を用いて検知することができるが、ここでは、図６（ｂ）に拡大して示すように、サイドフェンス５５ｂと一体的に、用紙幅方向について長さの異なる複数の摺動子５６０を設けている。
【００６４】
これらの摺動子５６０は電気的導体からできており、給紙トレイ１４側にこれらの摺動子５６０とそれぞれ対応して、かつ、用紙幅方向上の位置を異ならせて固定された接点とで組を構成している。接点と摺動子とが接触するとオン、離れているとオフの電気信号が得られる。
【００６５】
かかる構成により、上記各接点について、オン、オフ信号が課金のため制御装置１００に入力され、かかる信号の組み合わせにより、サイドフェンス５５ｂの幅方向の位置、つまり、用紙の幅サイズを検知することができる。
【００６６】
さらに、給紙トレイ１４上であって給紙トレイ１４上に用紙が載置される位置に対応させて用紙無し検知センサ５７０Ｓを設け、かつ、用紙の後端側を検知するための複数の用紙長さセンサ５８Ｓ１、５８Ｓ２、５８Ｓ３を設け、用紙の幅だけでなく、用紙の長さを自動検知することもできる。これらの情報は、必要に応じて図３の表示部５１に表示させることができる。
【００６７】
用紙サイズ検知手段としては、給紙トレイ１４に設けられたサイドフェンス２１ａ、２１ｂの動きに連動して検知する既知の用紙サイズ検知手段や、給紙トレイの用紙積載部に配設された複数の反射型センサによる既知の検知手段がある。用紙サイズ検知手段を代表して図９に符号６０３で示す。
【００６８】
（４）    インキ種類検知手段
インキは印刷の都度、消費されるものであり、種類によりコストが異なることから、インキ種類は印刷実行時における課金額を定める要素となる。
インキ種類の検知手段としては、図８（ａ）に示すように版胴８の内側に設けられたインキ供給手段６７に設けた検知手段による。インキ供給手段６７は、版胴８の中心軸上に設けられたインキ供給パイプ６８と、このインキ供給パイプ６８の下方に設けられたインキローラ６９、ドクターローラ７０などからなる。
【００６９】
インキ供給パイプ６８には、その下側にインキ供給穴６８ａ、６８ｂが形成されていて、インキが落下するようになっている。インキ供給穴６８ａ、６８ｂは、インキローラ６９とドクターローラ７０とのニップ部上側により構成されるインキ溜まり７３に対向しており、ここから落下するインキが該インキ溜まり７３に溜まるようにしてある。
【００７０】
インキ供給パイプ６８、インキローラ６９、ドクターローラ７０などを共通に支持する不動部材としてのフレーム７１には２本のインキ検知針７２の基端部が固定されており、該インキ針７２の先端部はインキ溜まり７３のインキ内に位置するようにしてある。インキ検知針７２を用いて、インキ溜り７３のインキの静電容量を測定することにより、インキの種類を検知することができる。
【００７１】
インキの種類検知の他の方法としては、版胴部に設けたディップスイッチの設定によることもできる。この場合は、上記ディップスイッチがインキの種類設定手段となる。孔版印刷装置４０の管理者が予め、ディップスイッチのオン、オフの組み合わせから、使用するインキ種類を設定しておき、該ディップスイッチの出力信号を課金のため、制御装置１００に入力するようにしている。
【００７２】
また、版胴部に基板がない場合には、印刷装置制御部の基板上にあるディップスイッチの設定や操作パネルから入力したデータを課金のため制御装置１００に保存するなどにより検知できる。インキ種類検知手段を代表して図９に符号６０４で示す。
【００７３】
前記ディップスイッチについては、そのスイッチの「ＨＩＧＨ」・「ＬＯＷ」の組み合わせにより、予めインキの種類、色を設定し、その設定情報をＰＯＭにて読み取る方法もある。なお、前記ディップスイッチは、印刷装置の電気回路に設置しても問題ない。例えば、インキの色変更のため、版胴８を交換する際に設定の変更が必要である。
【００７４】
インキは色ごとに原材料費、生産数量により単位体積あたりの値段が異なっている。例えば、生産量（使用量）の多い色（黒、赤、青など）はやや安くなる傾向にあり、特殊な色（ピンク、金など）はやや高くなる傾向がある。印刷機の利用者（料金を払って印刷を行う人）にとっては、できる限り、印刷料金を安く仕上げたいニーズがある。よって、本例では、インキの種類を検知し、その種類毎に任意枚数当たりの印刷料金を演算・課金できるため、きめ細かいサービスを提供できる。
【００７５】
１．１ｊ  印刷濃度（画像濃度）可変手段
印刷濃度はインキの消費量と関係しており、濃度が濃ければインキは多く消費されるし、薄ければ、少ない消費となるので、印刷濃度によりコストが異なることから、印刷濃度は印刷実行時における課金額を定める要素となる。
【００７６】
印刷濃度可変手段は既知のものを用いる。例えば、製版書き込み装置２２における製版時電流を大にして溶融穿孔の孔径を大きくすれば、濃度が上がり、インキ消費量は増す。逆にすれば、濃度は下がりインキ消費量は減る。このように、製版時にサーマルヘッド３のエネルギーを可変とし、変えることにより、マスタ１上のフィルムに穿孔する穴径を変えてインキ吐出量を増減させて画像濃度を調整できる。
【００７７】
或いは、カムのリフト量を変えることで印刷時におけるプレスローラ１２の版胴に対する圧力（印圧）を変えることによって版胴８の開口部からのインキ吐出量を増減させる印刷濃度を変えることができる。圧力を高くすれば、インキの転移量が増すので画像が濃くなり、低くすれば、インキの転移量が減るので画像は薄くなる。
【００７８】
これら、製版時電流の調整や、カムのリフト量の調整は、手動または、操作パネルからの画像濃度可変用キー９０による入力により変えることができるようになっており、印刷機の利用者は印刷濃度を希望に応じて設定するので、その際に任意枚数毎の印刷代データとして使用できる。
【００７９】
例えば、コスト優先で、画像濃度を使用に耐え得る範囲内で薄く設定する場合には、プレスローラの印圧を「弱」に設定したり、サーマルヘッドのエネルギーを「弱」に設定すると読み取るのに必要最低限の画像を得ることができる。
【００８０】
他方、画像仕上がり優先では、プレスローラの印圧を「強」に設定したり、サーマルヘッドのエネルギーを「強」に設定すると、黒々とした画像を得ることができる。
【００８１】
上記の如く、画像濃度を可変とし、変化させると、インキの消費量が変化するため、印刷物１枚当たりのコストは当然、異なるものとなる。よって、本例では、画像濃度可変手段による画像濃度毎に、任意枚数当たりの印刷料金を演算・課金できるので、きめ細かいサービスを提供できる。
操作パネル５０に設けられたファンクションキー群５６、テンキー群５５等の入力手段は印刷濃度可変手段であり、画像濃度を設定する。ここでは、印刷濃度可変手段を代表して図９に符号６０５で示す。
【００８２】
１．１ｋ  印刷速度可変手段
印刷速度はインキの消費量と関係しており、印刷速度が速ければインキは少なく消費されるし、遅ければ多い消費となるので、印刷速度によりコストが異なることから、印刷速度は印刷実行時における課金額を定める要素となる。印刷速度は、版胴８の速度で定まるので、版胴８を駆動するモータ、例えば、ＤＣモータとすると、図９において該モータＭ５０は、コントローラ６５０において該モータＭ５０の駆動周波数を変えることにより行われる。
【００８３】
１．２  課金手段の概略構成
図１において、課金手段は、課金装置８０と制御部１００からなる。制御部１００には、孔版印刷装置４０を駆動する制御プログラム及び、課金を実行する制御プログラムなどが入力されている。
【００８４】
課金装置８０は、箱形をしたその上部にコイン投入口８１及び表示部８２を有し、下部にコイン返却口８４を有している。なお、図１では、コイン投入口８１及び表示部８２は課金装置８０の外装箱体の側面に設けた例を示したが、オペレーターの目線よりも低い位置の場合には、見づらいので箱体の上面にこれらコイン投入口８１及び表示部８２を設けるとよい。
【００８５】
１．３  電気回路の構成
図９に制御部１００及びその周辺部の電気回路構成を示す。制御部１００は、演算を行うＣＰＵ５００と、制御プログラムが記憶されたＲＯＭ１０１と、各種データ記憶するＲＡＭ１０２を主な構成とする。制御部１００のＣＰＵ５００は孔版印刷装置４０における印刷動作を制御するが、本発明との関係では、マスタの料金と印刷にかかる料金それぞれのデータとその演算を行う。
【００８６】
制御部１００は、図示しないコントローラを介して孔版印刷装置４０からの各種キーやパソコンなどから送信されたデータを受け取る。図１１では一例として、表示部や各種キーのある操作パネル５０、パソコン４００などから送信されたデータを受け取るＰＣコントローラー３００、各種検知手段（原稿サイズ検知手段６０１、マスタの種類、サイズ検知手段６０２、用紙サイズ検知手段６０３、インキ種類検知手段６０４など）、印刷濃度可変手段６０５、課金装置８０などとの情報の授受が行なわれる構成を示している。煩雑を避けるため、孔版印刷装置４０の通常の印刷に必要な情報の授受関係については、図示を省略してある。
【００８７】
［２］印刷動作の概要
プロセス１
原稿を製版印刷する際には、利用者は、図２において原稿を自動原稿読取装置１０の原稿セット部に載せ、サイドフェンス２１ａ、２１ｂで位置を合わせながら、原稿先端を原稿搬送ローラ３４と原稿搬送コロ３５のニップ部に突き当てることで原稿のセットが終了する。
【００８８】
プロセス２
入力手段としての操作パネル５０のテンキー群５５（或いはスイッチ）により、通常画像モードかハーフトーン画像を再現する写真モードかの区別である画像種類、印刷速度、用紙種類などの情報が制御部１００の記憶部に記憶される。そのほか、印刷枚数、用紙サイズ、画像の位置や種類、などの各種設定を行う。このとき、マスタの種類やサイズの情報を取得したり、原稿や用紙のサイズなどの情報を取得したり、インキの種類や印刷画像濃度等の情報を取得する。
【００８９】
但し、外部機器としての例えば、パソコン４００からの画像データサイズによるマスタ長さの設定や、画像データ量による印刷料金の設定の場合には、操作パネル５０の指示に従って、パソコン４００からのデータを転送したり、自動原稿読取装置１０でプレスキャンなどを予め行い、料金設定のための情報を取得する。
【００９０】
また、マスタの種類、サイズ検知手段６０２によりマスタ長さを変える場合には、製版書き込み装置２２でマスタの製版領域、マスタ長さ、を可変制御すると共に、マスタ長さに応じて設定される用紙１３の長さに合わせて版胴８へのプレスローラ１２による押圧長さも変えるのが望ましい。そのための手段については、周知の技術が適用できる。例えば、特開平９−１６９１５４号に開示されるように、プレスローラ１２など押圧手段による版胴への押圧区間を、該押圧区間長を制御する複数のカムの切り換えにより行う。
【００９１】
プロセス３
各種設定が終了すると、課金額を演算する制御装置１００には孔版印刷装置４０からの各種設定データが転送され、課金装置８０の表示部８２には製版、印刷料金が表示される。利用者は、この表示された金額をコイン投入口８１より現金またはそれに代わる磁気カードなどを投入する。
【００９２】
このとき、表示されている製版に必要な料金（マスタ代）よりも投入金額が少ない場合には、例えば、製版スタートの製版キー５２を押下しても製版不可とし、投入料金が少ないことを表示部８２（或いは表示部５１）や音声などを使用して通知する。
【００９３】
プロセス４
少なくとも、製版に必要な料金以上が入金された場合に、利用者が製版キー５２を押すと、制御部１００にスタート信号が出されることにより、先ず、自動原稿読取装置１０の駆動源である図示しないステッピングモータが回転駆動されて、少なくとも原稿搬送ローラ３４を回転駆動させ、原稿の搬送を開始する。
【００９４】
原稿先端部が搬送により移動して、原稿の先端を検知する原稿検知センサ４７Ｓに到達し、該センサがオンにされると、制御部１００にて予めプログラムされたＲＯＭ１０１からの制御信号により、原稿が所定量搬送され、原稿先端部が所定の位置（例えば、原稿読取手段４８としてのＣＩＳによる読取直前位置）まで搬送されると、原稿搬送が停止する。
【００９５】
プロセス５
原稿搬送が停止された後、排版動作が行われる。すなわち、版胴８が反時計回りの向きに回転して、排版装置３０により未だ版胴８に巻着されたままになっている使用済みのマスタが版胴８表面より剥離されて排版装置３０に廃棄される。排版を終えた版胴８はクランパ９が右真横位置になるまで時計回りの向きに回転して停止する。
【００９６】
プロセス６
版胴８が停止すると製版書き込み装置２２にて製版動作が開始される。先ず、ステッピングモータによりプラテンローラ２が回転され、マスタロール１ａから繰り出された新しいマスタ１をサーマルヘッド３に対応する製版位置まで搬送する。
【００９７】
製版位置までマスタ１が搬送完了されると同時に、停止していた自動原稿読取装置１０のステッピングモータが回転駆動することで、少なくとも原稿搬送ローラ３４が回転駆動開始して原稿の搬送が再開され、原稿読取手段４８としてのＣＩＳにて読み取られる。読み取られた情報は、制御部１００を介して画像情報として、サーマルヘッド３に伝達される。こうして伝達された情報をもとに、サーマルヘッド３にてマスタフィルム面が溶融穿孔され製版が行なわれる。
【００９８】
プロセス７
こうして画像情報が書き込まれた製版済みマスタ１は、搬送ローラ５、送り出しローラ６、マスタガイド板７を経て該マスタ１の先端部がクランパ９に案内される。上記ステッピングモータのステップ数より製版が完了し所定の切断時期に達したと判断されるとカッタ４が作動してマスタ１が切断されると共に、プラテンローラ２及び搬送ローラ５、６等の駆動が停止する。停止するとマスタ１が切断される。
【００９９】
マスタ１の搬送駆動源である図示しないステッピングモータのステップ数が制御部１００においてカウントされることで、該制御部１００においてマスタ１の先端部がクランパ９に屈いたと判断されると、該クランパ９が閉じ状態となり、マスタ１の先端部を挟持すると共に、版胴８がマスタ搬送速度とほぼ同じ速度で回転を再開し、製版されたマスタ１の版胴８への巻着が行われる。先端側を版胴８のクランパ９に保持されたマスタ１の後端側は、版胴８の回転により引き出されて版胴８への巻着が完了する。
【０１００】
プロセス８
本プロセス８において、製版後の１枚目（或いは１枚だけでは不十分の場合にはそれ以上の枚数）については、特に版付けと称され、印刷機固有のプロセスであり、本発明において課金の対象とはしないことにすることができる。また、製版後１枚目以後の数枚目までの調整印刷で「使用できない印刷物」が生じた場合も同様に課金の対象とはしないことができる。ただ、印刷のプロセスとしては、通常の連続印刷と共通の動作を含むので、以下に印刷のプロセスとして説明する。
版胴８へのマスタ１の巻着が完了すると用紙１３が給紙ローラ１５と分離ローラ１６により送り出されながら、分離ローラ１６及び分離手段に付帯して設けられた摩擦パッドなどの分離手段により一枚分離されて給送される。
所定タイミングで接離するレジストローラ１７が当接を開始する頃に用紙１３の先端がレジストローラ１７のニップ部に挿入され、ニップ部に突き当てられて停止する。レジストローラ１７は、版胴８の周速と同じ速度で移動するマスタ８の画像と印刷部（版胴８の下部に接離するプレスローラ１２とのニップ部）で用紙１３が合致するようにタイミングを取られて回転を開始する。
図示しない用紙センサにより印刷部近傍位置への用紙１３の進入が検知されるとプレスローラ１２が上昇して、版胴８に用紙１３を押圧し、マスタ８にインキを充填する。これにより、用紙１３は印刷部にて画像を形成される。
版胴８とプレスローラ１２間を通紙される際に印刷された用紙１３は、剥離爪１８により版胴８より剥離され、ベルト２９により搬送されて排紙トレイ２０に排出される。
【０１０１】
プロセス９
上記プロセス８において、版付け或いは調整印刷の結果、連続印刷しても問題なしと判断された場合、以後、設定された枚数の印刷が同じ動作で行なわれる。印刷を終えた用紙１３は排紙トレイ２０に送り出されて積載される。但し、このとき、操作パネル５０のテンキー群５５などから入力された印刷枚数分（版付けや使用できない印刷物がある場合にはその枚数を差し引いた枚数分）の金額に対し、コイン投入口８１より投入された料金が少ない場合には、その旨を表示部８２（或いは表示部５１）や音声などを使用して通知する。それでも入金しないで印刷キー５３を押下する場合には、投入された料金分までの印刷を行う。
以上述べたような各種検知手段を使用して製版にかかる料金、印刷にかかる料金を細かく設定、演算、課金することができる。
【０１０２】
［３］課金
本発明における課金手段（装置）と課金対象及びその例外等について説明する。
３．１．課金手段
課金手段については、これまで各項で説明したが、これまでの説明からもれた事項を以下に述べる。先ず、製版動作に先立って、原稿読み取り部でのプレスキャンによる画像データ取り込みや、ＰＣコントローラ等からなる画像データの取り込みを行う場合には、画像データ量を予め確認できるので、画像量によるインキ消費量がわかる。
【０１０３】
よって、本例では、画像データ量毎に任意枚数当たりの印刷料金を演算・課金できるので、きめ細かいサービスを提供できる。
【０１０４】
これまで述べた任意枚数当たりの印刷料金は、操作パネル上のテンキー上から入力設定可能である。勿論、操作パネル上のテンキーのみならず、ネットワークを接続して端末からの入力が可能なことはいうまでもない。
【０１０５】
また、上記印刷料金データを２つ以上併用して設定すると、更にきめ細かいサービスを提供できる。また、演算、課金情報や状況を表示装置である操作パネル上の表示部やネットワークに接続した際の端末画面上で確認できる。
【０１０６】
本例による印刷料金のデータ、演算、課金、表示手段は、印刷装置内部に設置すると、省スペースで省エネルギーにできるが、生産台数が少ない場合は、装置自体が割高となってしまう。そこで、印刷料金のデータ、演算、課金、表示手段のうち１部を別体とすると、これらの機能の無い従来の孔版印刷機を流用できるので、印刷装置（本体＋別体部分）全体では安価に提供できる。
【０１０７】
さらに、印刷機特有であるマスタにかかるコストを、前述した印刷料金と並べて表示・課金したり、マスタに掛かるコストと印刷料金を加算して表示・課金することで、よりきめ細かいサービスを提供できる。
【０１０８】
３．２．課金の適用除外とその例外
前記プロセス８において、マスタ１が版胴８に巻き付けられると、用紙１３が給紙装置２４、印刷部（プレスローラ１２に押圧される版胴８周面部）、排紙装置２６を通り、排紙トレイ２０に積載される。この製版後の最初の１枚目の印刷を「版付け」印刷という。
【０１０９】
「版付け」による画像は、当該印刷機を連続で使用している場合や、一般的な屋内の環境（１５°Ｃ〜２５°Ｃ）では特に問題ないが、やや特殊な環境や使用条件により印刷画像が問題になる場合がある。
例えば、印刷機を長期間（６箇月以上）使用せず放置していた場合や、周囲の温度が低い（０°Ｃ〜５°Ｃ）状態では、版付けの画像は薄く、文字が欠ける場合がある。また、周囲の温度が高い（３０°Ｃ〜３５°Ｃ）場合には、版付けの画像はインキのにじみにより濃くなり、小さい文字などがつぶれる場合がある。さらに、前述より悪い条件となった場合、版付け後の１枚目〜数枚目まで問題のある印刷画像となる場合もある。
【０１１０】
このように、版付けまたは数枚目までは利用者の要求している印刷物が得られない場合がある。この場合の印刷に対して課金すると、「使用できない印刷物」に対して料金を請求することとなり、クレームとなるおそれがある。
【０１１１】
そのため、本例では、版付けを含む「使用できない印刷物」に対してカウントせず、課金を行わない。前述の条件によって、「使用できない印刷物」の枚数が異なるので、任意の枚数に設定、設定変更ができるようにする。
【０１１２】
一方で、版付けで問題がない場合は、画像の位置合わせを試行する調整印刷を行う。画像位置合わせは、版付け印刷の画像を確認し、操作パネル５０の位置合わせキー（カーソルキー５７）や、給紙トレイ１４の位置合わせダイヤル（図示されず）を動かして用紙上での画像位置を移動調整することにより行う。
その後、試し印刷キー５４を押下すると、１枚のみ印刷され、排紙トレイ２０に積載される。排紙された印刷物の画像位置を確認し、問題なければ印刷を、問題あれば再度位置の調整を行い、試し印刷キー５４で１枚印刷を行う。
【０１１３】
このように、孔版印刷機ではＰＰＣ複写機などと異なり、画像位置合わせ作業が行われる場合がある。これは、孔版印刷機による印刷物は、ＰＰＣでの内部資料等の少数コピーとは異なり、多数枚を外部向けに印刷（チラシ等）する割合が高いため、画像位置等の仕上がりに対する要求が高いためである。
【０１１４】
このことからも、画像位置合わせ終了していない「版付け」や調整印刷である「試しプリント」印刷は「使用できない印刷物」となる。よって、「版付け」と同じように「試しプリント」による印刷に対して課金すると、クレームとなるおそれがある。
【０１１５】
そのため、本例では、試し印刷キー５４による印刷に対してカウントせず、課金を行わない。ただし、試し印刷キー５４による印刷を無制限に印刷可能とすると、試し印刷キー５４でのみ印刷を行うことでカウントせず、課金されないまま、印刷物を得ることができてしまうので、枚数の制限を設ける。また、画像位置合わせに必要とする「試しプリント」による印刷枚数は、若干異なるので、任意の枚数に設定および設定変更できるようにする。勿論、版付け画像で画像位置も問題なければ、「試しプリント」を行うことなく、版付け後、印刷キー５３を押下して印刷をスタートさせる。
【０１１６】
［４］課金
印刷装置の利用者に請求される印刷代金たる課金額をＣＰＵに演算させる基となるデータは予め、印刷機の管理者がテンキー群５５を操作して図９に示したＲＯＭ１０１に蓄える。利用者は印刷に際して印刷条件をテンキー群５５を操作して入力するなど、必要に応じてテンキー群５５の操作により表示部５１に表示させることができる。また、課金のための演算結果は、図１の表示部８２或いは図３の表示部５１などに表示させることができる。印刷条件は、テンキー群５５のみならず、ネットワークに接続して端末からの入力も可能である。以下では、管理者が行う、課金演算の基となるデータのＣＰＵに対する入力結果たる登録例を例示する。
【０１１７】
４．１  インキ単価の登録例
印刷装置の管理者は、図９で説明した制御装置１００のＲＡＭ１０２に予めインキ単価を登録する。インキ単価は印刷におけるインキコストを決定する基本となるデータである。
【０１１８】
登録の手順は、図１０のフローチャートのステップＰ１において、図３における操作パネル５０のファンクションキー５６を操作して、インキ単価設定モードにしてから、ステップＰ２において値数入力を行なう。
【０１１９】
値数の具体例を図１１に示す。ファンクションキー５６の操作により、表示部５１に入力用の画面が表示されるので、テンキー群５５の操作により、所定の値数入力を行なう。入力結果はＲＡＭ１０２に記憶される。登録内容の一例を図１１に示す。なお、この例は、用紙サイズＢ５、画像量係数１．０（画像量が３０％〜４９％に相当）、画像濃度が標準の場合における各色による印刷１枚当たりの価格の入力結果例である。図１１において、黒、赤、青、緑、茶、グレー、黄、紫、ゴールドの各色種に対応して、印刷１枚当たりの単価が示されているが、これらの単価がステップＰ２で入力された値である。このように値数入力ができるので、単価の変動に対処することができる。
【０１２０】
かかる登録結果は、印刷に際して利用者が印刷条件を指定する際にこの画面を呼び出して条件を指定する。指定すると、該当部分の数値が枠で囲まれた表示になり指定数値を確認できる。
【０１２１】
４．２  画像濃度係数の登録例
印刷装置の管理者は、図９で説明した制御装置１００のＲＡＭ１０２に予め画像濃度係数を登録する。画像濃度が濃ければ薄い場合に比べてインキ消費量が多くなるなど、画像濃度はインキ消費量に関係しており、課金額を決定する要素である。本例では、画像濃度を濃淡レベルに対応して５段階に分け、各段階に応じた画像濃度係数を定めることで該係数を用紙サイズ係数と掛け合わせることで、用紙サイズ別にインキ消費量をランク付け可能にしている。画像濃度が濃くなる程、画像濃度係数値は大きくなり、薄くなる程、画像濃度値は小さくなる。
【０１２２】
登録の手順は、図１２のフローチャートのステップＰ１において、図３における操作パネル５０のファンクションキー５６を操作して、画像濃度係数設定モードにしてから、ステップＰ４において値数入力を行なう。
【０１２３】
値数の具体例を図１３に示す。ファンクションキー５６の操作により、表示部５１に入力用の画面が表示されるので、テンキー群５５の操作により、所定の値数入力を行なう。入力結果はＲＡＭ１０２に記憶される。登録内容の一例を図１３に示す。なお、この例は、画像濃度を、濃い、やや濃い、標準、やや薄い、薄いの各画像濃度レベルに対応して、印刷１枚当たりの画像濃度係数を規定している。これらの画像濃度係数がステップＰ４で入力された値である。このように値数入力ができるので、インキ価格の変動に対処することができる。
【０１２４】
かかる登録結果は、印刷に際して利用者が印刷条件を指定する際にこの画面を呼び出して条件を指定する。指定すると、該当部分の数値が枠で囲まれた表示になり指定数値を確認できる。
【０１２５】
４．３  画像量係数の登録例
印刷装置の管理者は、図９で説明した制御装置１００のＲＡＭ１０２に予め画像量係数を登録する。画像量が大きければ、少ない場合に比べてインキ消費量が多くなる傾向があり、画像量はインキ消費量に関係しているので、課金額を決定する要素である。本例では、用紙の面積に占める画像（印字）面積の比率（％）（画像量比）の各レベルに対応して画像量係数を定め、該画像量係数を用紙サイズ係数と掛け合わせることで、用紙サイズ別にインキ消費量をランク付け可能にしている。画像量比が大きくなる程、画像量係数値は大きくなり、画像量比が小さくなる程、画像量係数値は小さくなる。
【０１２６】
登録の手順は、図１４のフローチャートのステップＰ５において、図３における操作パネル５０のファンクションキー５６を操作して、画像量係数設定モードにしてから、ステップＰ６において値数入力を行なう。
【０１２７】
値数の具体例を図１５に示す。ファンクションキー５６の操作により、表示部５１に入力用の画面が表示されるので、テンキー群５５の操作により、所定の値数入力を行なう。入力結果はＲＡＭ１０２に記憶される。登録内容の一例を図１５に示す。なお、この例は、画像量比を、０〜３０％未満、３０％〜５０％未満、５０％〜７０％未満、７０％以上の各画像量比に対応して、印刷１枚当たりの画像濃度係数を規定している。これらの画像量係数がステップＰ６で入力された値である。このように値数入力ができるので、インキ価格の変動に対処することができる。
【０１２８】
かかる登録結果は、印刷に際して利用者が印刷条件を指定する際にこの画面を呼び出して条件を指定する。指定すると、該当部分の数値が枠で囲まれた表示になり指定数値を確認できる。
【０１２９】
４．４  用紙サイズ係数の登録例
印刷装置の管理者は、図９で説明した制御装置１００のＲＡＭ１０２に予め画像量係数を登録する。用紙サイズが大きければ、小さい場合に比べて材料費が高くなり、印刷コストに直接関係する。本例では、用紙サイズに対応して用紙サイズ係数を定め、該用紙サイズ係数を他の印刷コスト要因の係数（画像濃度係数、画像量係数など）と掛け合わせることで、用紙サイズ別に印刷コストを演算可能にしている。用紙サイズが大きくなる程、用紙サイズ係数値は大きくなり、用紙サイズが小さくなる程、用紙サイズ係数値は小さくなる。
【０１３０】
登録の手順は、図１６のフローチャートのステップＰ７において、図３における操作パネル５０のファンクションキー５６を操作して、用紙サイズ係数設定モードにしてから、ステップＰ８において値数入力を行なう。
【０１３１】
値数の具体例を図１７に示す。ファンクションキー５６の操作により、表示部５１に入力用の画面が表示されるので、テンキー群５５の操作により、所定の値数入力を行なう。入力結果はＲＡＭ１０２に記憶される。登録内容の一例を図１７に示す。なお、この例は、用紙サイズを、Ａ３、Ｂ４、Ａ４、Ｂ５の各サイズに対応して、印刷１枚当たりの用紙サイズ係数を規定している。これらの用紙サイズ係数がステップＰ８で入力された値である。このように値数入力ができるので、インキ価格の変動に対処することができる。
【０１３２】
かかる登録結果は、印刷に際して利用者が印刷条件を指定する際にこの画面を呼び出して条件を指定する。指定すると、該当部分の数値が枠で囲まれた表示になり指定数値を確認できる。
【０１３３】
４．５  印刷単価の登録例
印刷装置の管理者は、図９で説明した制御装置１００のＲＡＭ１０２に予め印刷単価を登録する。印刷単価は、同じマスタを使用して行なうことから、印刷枚数、つまり、カウント数が多くなればなる程、印刷１枚当たりの単価は低くなる傾向になる。
【０１３４】
本例ではカウント数を５段階（１枚〜２０枚、２１枚〜５０枚、５１枚〜１００枚、１０１枚〜５００枚、５０１枚以上）に分け、各段階に対応して単価を定め、該単価を用紙サイズ係数等と掛け合わせることで、印刷枚数に応じて課金することを可能にしている。
【０１３５】
登録の手順は、図１８のフローチャートのステップＰ９において、図３における操作パネル５０のファンクションキー５６を操作して、画像量係数設定モードにしてから、ステップＰ１０において値数入力を行なう。
【０１３６】
値数の具体例を図１９に示す。ファンクションキー５６の操作により、表示部５１に入力用の画面が表示されるので、テンキー群５５の操作により、所定の値数入力を行なう。入力結果はＲＡＭ１０２に記憶される。登録内容の一例を図１９に示す。なお、この例は、用紙サイズＢ５を基準にしたときの単価を規定している。これらの印刷単価がステップＰ１０で入力された値である。このように値数入力ができるので、印刷枚数に応じた課金をすることができる。
【０１３７】
かかる登録結果は、印刷に際して利用者が印刷条件を指定する際にこの画面を呼び出して条件を指定する。指定すると、該当部分の数値が枠で囲まれた表示になり指定数値を確認できる。
【０１３８】
４．６  印刷速度係数の登録例
印刷装置の管理者は、図９で説明した制御装置１００のＲＡＭ１０２に予め印刷速度係数を登録する。印刷速度によりインキ消費量が変化する。例えば、印刷速度が低速度の場合には、プレスローラ１２が版胴８を押し付ける時間が長いので、その分、インキが用紙に転移する量が多くなる。つまり、インキ消費量が多くなる。逆に、印刷速度が高速度の場合には、プレスローラ１２が版胴８を押し付ける時間が短いので、その分、インキが用紙に転移する量が少ない。
【０１３９】
印刷速度はインキ消費量に関係しているので、課金額を決定する要素である。本例では、印刷速度を１速〜５速までの５段階に分け、各印刷速度に対応して印刷速度係数を定め、該印刷速度係数を用紙サイズ係数と掛け合わせることで、用紙サイズ別にインキ消費量をランク付け可能にしている。
【０１４０】
登録の手順は、図２０のフローチャートのステップＰ１００において、図３における操作パネル５０のファンクションキー５６を操作して、印刷速度係数設定モードにしてから、ステップＰ１０１において値数入力を行なう。
【０１４１】
値数の具体例を図２１に示す。ファンクションキー５６の操作により、表示部５１に入力用の画面が表示されるので、テンキー群５５の操作により、所定の値数入力を行なう。入力結果はＲＡＭ１０２に記憶される。登録内容の一例を図２１に示す。この例は、印刷速度１速〜５速までの各段階に対応して、印刷１枚当たりの印刷速度係数を規定している。これらの印刷速度係数がステップＰ１０１で入力された値である。このように値数入力ができるので、印刷速度が変更された場合に対処することができる。
【０１４２】
かかる登録結果は、印刷に際して利用者が印刷条件を指定する際にこの画面を呼び出して条件を指定する。指定すると、該当部分の数値が枠で囲まれた表示になり指定数値を確認できる。
【０１４３】
４．７  印刷料金の明細表示例
４．７−１表示例
当該印刷装置の利用者が図３に示した操作パネル５０のファンクションキー群５６を操作して表示部５１を見ながら、これから行なおうとする印刷の料金を算出するに必要な印刷条件を入力する。これにより、ＣＰＵ５００は演算を行い、その結果が例えば図２２に示すように表示部８２に表示される。なお、同時に表示部５１に表示させるようにしてもよい。
【０１４４】
図２２に示した例では、利用者による印刷条件として、インキ：黒色、画像濃度：やや薄く、用紙サイズ：Ａ３、印刷枚数１０００枚、印刷速度「３速」（５段階の速度区分の中間の速度）の各印刷条件が入力、指定された場合に、確認情報として印刷料金と共に表示した例を示している。前記したように印刷速度はインキ消費量に関係するので、印刷速度に応じて課金するようにしている。
【０１４５】
上記各印刷条件が指定された結果、印刷装置側でその条件が満足するものであれば、かかる印刷条件で印刷料金が演算される。ここでは、印刷料金４３２０円が表示されている。ここで、利用者がコイン投入口８１に５０００円を投入したとすると、かかる投入金額が制御装置１００により認識され、印刷可能な条件が整っていることから、表示部８２には図２２に示したような「製版・印刷できます」の表示がなされる。
【０１４６】
また、おつりの金額６８０円も合わせて表示される。印刷終了後、タッチパネルスイッチになっている「返金」と表示された部位８２ａを押せば、コイン返却口８１におつりが出てくる。なお、図１のコイン投入口８１の下には紙幣投入口８１Ａがあり紙幣を投入することもできる。また、コイン返却口８１はコインと併せて紙幣も返却可能である。
【０１４７】
４．７−２計算例
図２２に表示された印刷料金４３２０円の計算例を図２３により説明する。図２３におけるデータＤ１はインキ単価のデータである。利用者がファンクションキー５６を操作することにより表示部５１に呼び出されたものである。ファンクションキー５６を操作して印刷条件として「黒」を指定することで、これに対応する「０．１円」の単価の部位が枠で囲まれる。これにより、指定した条件を確認することができる。
【０１４８】
インキ単価の指定内容に間違いなければ、利用者はファンクションキー５６の操作により次のデータＤ２を表示部５１に呼び出す。図２３におけるデータＤ２は画像濃度係数のデータである。ファンクションキー５６を操作して印刷条件として「画像濃度、やや薄い」を指定することで、これに対応する係数「０．８」の部位が枠で囲まれる。これにより、指定した条件を確認することができる。
【０１４９】
図２３におけるデータＤ３は画像量係数のデータである。印刷条件としての「画像量比、４０％」は、製版に使用するデータからＣＰＵ５００が認識したデータであり、利用者が指定する条件ではない。機械がこれから印刷しようとする画像について自動判別し、その画像量比「〜５０％未満」と、係数「１．０」を認識する。利用者は、必要に応じて、ファンクションキー５６を操作して表示部５１にデータＤ３を呼び出すことができる。指定された条件を確認することができるように、該当する条件部位が枠で囲まれている。
【０１５０】
利用者はファンクションキー５６の操作により次のデータＤ４を表示部５１に呼び出す。図２３におけるデータＤ４は用紙サイズ係数のデータである。ファンクションキー５６を操作して印刷条件として、用紙サイズ「Ａ３」を指定することで、これに対応する係数「４．０」の部位が枠で囲まれる。これにより、指定した条件を確認することができる。
【０１５１】
用紙サイズの指定内容に間違いなければ、利用者はファンクションキー５６の操作により次のデータＤ５を表示部５１に呼び出す。図２３におけるデータＤ５は印刷単価のデータである。ファンクションキー５６を操作して印刷条件として１０００枚を入力すると、これに該当する「５０１枚以上」が自動選択され、これに対応する単価「１円」の部位が枠で囲まれる。これにより、指定した条件を確認することができる。
【０１５２】
印刷単価の指定内容に間違いなければ、利用者はファンクションキー５６の操作により次のデータＤ６を表示部５１に呼び出す。図２３におけるデータＤ６は印刷速度係数のデータである。ファンクションキー５６を操作して印刷条件として例えば「３速」を指定することで、これに対応する係数「１．０」の部位が枠で囲まれる。これにより、指定した条件を確認することができる。
【０１５３】
図２３におけるデータＤ６は印刷速度係数のデータである。印刷速度は具体的には、版胴８の回転速度であり、例えば、版胴８の駆動手段がＤＣモータの場合には該モータを駆動する専用のコントローラにより駆動周波数は変えることにより、印刷速度が変わる。
【０１５４】
前記したように、印刷速度に応じてインキ消費量が変わるので、適切な課金ができるように、各印刷速度に応じて定めた印刷速度係数が、利用者が所望する印刷速度に応じて定まる。
【０１５５】
利用者は、必要に応じて、ファンクションキー５６を操作して表示部５１にデータＤ５を呼び出すことができ、指定された印刷速度条件を確認することができるように、該当する条件部位が枠で囲まれている。
【０１５６】
以上の印刷条件の入力が済むと、ＣＰＵ５００はデータＤ１、Ｄ２、Ｄ３、Ｄ４、Ｄ５の枠で囲まれた印刷条件に基づき演算を実行する。図２３に符号Ｆ１で示した枠内は、「インキの消費量による費用」をＣＰＵ５００が演算する内容を示したものである。これにより、０．１（＝黒、インキ単価）×０．８（＝やや薄い画像濃度係数）×１．０（＝〜５０％未満画像量比の画像量係数）×１．０（＝印刷速度３速の印刷速度係数）×４．０（＝Ａ３用紙サイズ係数）×１０００（＝印刷枚数）＝３２０円という演算により、「インキの消費量による費用」として３２０円の計算結果を得た。
【０１５７】
また、ＣＰＵ５００は図２３に示したデータＤ４の枠で囲まれた印刷条件に基づき演算を実行する。図２３に符号Ｆ２で示した枠内は、「印刷用紙代」をＣＰＵ５００が演算する内容を示したものである。これによると、４．０（＝Ａ３用紙サイズ係数）×１０００（＝印刷枚数）＝４０００円ということで、「印刷用紙代」として４０００円の計算結果を得た。
【０１５８】
ＣＰＵ５００は、これら「インキの消費量による費用」３２０円と、「印刷用紙代」４０００円を合算することで、符号Ｆ３に示すように合計の印刷料金４３２０円の計算結果を得た。この値に基づいて表示部８２に表示したのが図２２に示した表示例である。
【０１５９】
［５］印刷準備から印刷、課金までの流れ
５．１  印刷準備
図２４に示した手順に従い、印刷準備のサブルーチンが実行される。なお、前記プロセス１、２などの実行により、既に原稿データは取り込まれているものとする。
【０１６０】
ステップＰ１１：利用者は印刷に際し、ステップＰ１１において利用者側として希望する印刷枚数等の印刷条件を図３に示したファンクションキー群５６などを用いてＣＰＵ５００に入力する。この入力された印刷条件は、前記したように、インキ：黒色、画像濃度：やや薄く、用紙サイズ：Ａ３、印刷枚数１０００枚、印刷速度「３速」などである。
【０１６１】
ステップＰ１２：孔版印刷装置４０は、装備している各種検知手段により、現状の印刷装置において設定されている印刷条件を検知する。
例えば、インキ種類は、印刷に使用するインキの色を指しており、該色は図９で述べたインキ種類検知手段６０４により検知される。
画像濃度は、印刷ジョブが終了するとリセット状態になり、標準濃度（画像濃度係数１．０相当）が自動設定されるようにしてある。利用者は、図９で述べた印刷濃度可変手段６０５を操作することで画像濃度を変更することができる。
画像量比は、原稿のプレスキャンや、外部機器から取り込まれる画像データなどから算出される。
用紙サイズは、図９における用紙サイズ検知手段６０３により検知される。
【０１６２】
ステップＰ１３：ステップＰ１１において入力された条件と、現に孔版印刷装置に設定されている条件とが合致しているかどうかが判定される。合致しない場合には、ステップＰ１４に進み、合致するように処置する。
【０１６３】
ステップＰ１４：例えば、インキの色が合致しない場合には、管理者に知らせて、版胴８を希望する色のものに交換する。画像濃度が合致しない場合には、利用者は、図９で述べた印刷濃度可変手段６０５を操作することで画像濃度を変更する。用紙サイズが合致しない場合には給紙トレイ１４上の用紙を希望するサイズのものに交換する。
【０１６４】
ステップＰ１４：ステップＰ１３で、入力条件と現状とが合致した場合には、前記図２３で説明したような演算がなされ、演算結果が印刷条件と共に図２２で示したように表示部８２等に料金表示される（但し、この段階では投入金額及びおつりの各欄は未表示）。
【０１６５】
ステップＰ１５：料金が投入されたか否かが確認される。前記プロセス３に例示したように、利用者がコイン投入口８１、紙幣投入口８１Ａなどから料金を投入していれば、投入金額、おつりなどが表示され、製版印刷可能状態となる。
【０１６６】
５．２  印刷及び課金（ケース１）
図２５により印刷及び課金の処理を説明する。
印刷代金たる課金額をＣＰＵ５００に演算させる基となるデータが、予め管理者により、前記［４］の４．１〜４．５で述べたようにしてＣＰＵ５００に入力された孔版印刷装置４０について、図２５に示した手順で印刷が行われる。
先ず、ステップＰ２１のサブルーチンが実行される。このステップＰ２１は前記図２４により説明したステップＰ１１〜ステップＰ１５までの内容を含む。
【０１６７】
ステップＰ２２：利用者が製版開始を指示する製版開始ＳＷたる製版キー５２を押すことでオンにする。
ステップＰ２３：製版キー５２が押されてオンにされることで、孔版印刷機が印刷運転を開始し、製版、版付けが実行される。これらは、前記プロセス４〜８に該当する。この版付けにより印刷状態に問題がなければ、次のステップに進む。多くの場合、問題ないので、この版付けの枚数も印刷枚数にカウントされ、図２２に示した枚数、印刷料金、おつりの各値がリアルタイムで減算されて表示される。
【０１６８】
ステップＰ２４〜Ｐ２６：ステップＰ２３において製版、版付けが終わると、ステップＰ２４で画像位置の設定が行われる。これは用紙上での画像位置が適正な位置にあるようにするための調整作業であり、用紙搬送方向のずれについてはレジストローラ１７からの用紙の送り出しのタイミングを変えることで、また、用紙搬送方向と直交する用紙幅方向のずれについては、版胴８を軸方向に移動調整することにより位置調整する。これらの位置調整は、操作パネル５０上のキー操作で利用者が容易に行うことができる。
【０１６９】
ステップＰ２５における試し印刷キー５４のオンにより１枚ずつ、確認しながら調整印刷、つまり、試し印刷が実行される。試し印刷の結果をステップＰ２６で確認し、画像位置が不適切であればステップＰ２４に戻り、サイド位置調整して試し印刷を繰り返す。ステップＰ２６で画像位置が適正な位置になったことが確認されるまで、上記の画像位置設定と試し印刷が繰り返される。これらの試し印刷の印刷枚数も印刷枚数にカウントされ、図２２に示した枚数、印刷料金、おつりの各値がリアルタイムで減算されて表示される。
ステップＰ２７：版付け或いは調整印刷の結果、連続印刷しても問題なしと判断されると、以後、印刷キー５３をオンすることで連続印刷が開始される。ここでの印刷は前記プロセス９に相当する。
【０１７０】
ステップＰ２８：ＣＰＵ５００が認識した所定の入力印刷枚数の印刷がなされたと判断されると、印刷機は停止する。或いは、利用者が意図的に途中で止めることもできる。いずれにしても、利用者は印刷機が停止した時点での印刷枚数分の料金を課金装置８０により支払うことで、印刷は終了する。
【０１７１】
５．３  印刷及び課金（ケース２）
図２６により印刷及び課金の処理を説明する。
印刷代金たる課金額をＣＰＵ５００に演算させる基となるデータが、予め管理者により、前記［４］の４．１〜４．６で述べたようにしてＣＰＵ５００に入力された孔版印刷装置４０について、図２６に示した手順で印刷が行われる
先ず、ステップＰ３１のサブルーチンが実行される。このステップＰ３１は前記図２４により説明したステップＰ１１〜ステップＰ１５までの内容を含む。ステップＰ３１が済むと、ステップＰ５０に進む。
【０１７２】
ステップＰ５０：ここでは、版付け設定モードのサブルーチンが実行される。印刷機は版付け設置モードとなり、図２７に示すステップに従い、値数の入力がなされる。この値数は製版直後の印刷であって印刷枚数にカウントせず課金しない印刷枚数の値であり、これをｎとすると、ｎ≧０つまり、０を含む任意の数を入力可能である。
【０１７３】
なお、図示しないが、図２６のフローチャートにおける「スタート」以前のステップにおいて印刷機の管理者が図２７に示すステップに従い値数の入力を完了させることもでき、その場合には当該ステップ５０は省略できる。
【０１７４】
図２７において、値数０と入力した場合には、版付けを行ってもそれを課金対象としてカウントすることを意味し、１以上の入力ならその枚数分は版付けとして課金の対象としない趣旨である。
【０１７５】
ステップＰ３２：利用者が製版開始を指示する製版開始ＳＷたる製版キー５２を押すことでオンにする。
ステップＰ３３：製版キー５２が押されてオンにされることで、孔版印刷機が印刷運転を開始し、製版が実行される。この製版は、前記プロセス４〜７に該当する。印刷用のマスタが版胴８に巻着されると、次のステップ３４に移る。
【０１７６】
ステップＰ３４〜３６：版付けマスタ１が版胴に巻着されると、ステップＰ３４で版付け印刷動作が開始される。この版付けは、製版の直後に行われる印刷のことであり、印刷動作の内容は前記プロセス８に順じ、通常の連続印刷と同じような印刷工程を経て印刷されるが、異なるのは、製版に続いて行われる印刷、つまり、所謂試し印刷である。この版付け印刷は、製版直後の印刷であることから、印刷状態が希望する品質を備えていない場合もあり得る。そこで、この版付け印刷については、値数分について課金しないようにしている。課金しないようにするため、本例では  ステップ３５でＣＰＵ５００が内蔵するカウンタに計数させないカウンタロック状態にして版付け印刷については課金対象としてカウントしないようにしている。この値数の印刷については、図２２に示した枚数、印刷料金、おつりの各値が減算されることはない。
【０１７７】
ステップＰ５１で版付け印刷が刷り上ったら、ステップＰ５１で利用者はその内容を確認し、問題なければステップＰ３６に進むし、問題あれば、ステップＰ３４に戻りさらに版付けを行う。
【０１７８】
ステップＰ３７：ステップＰ３６において版付けが終わると、ステップＰ３７で画像位置の設定が行われる。これは用紙上での画像位置が適正な位置にあるようにするための調整作業であり、本例では、版付けの結果に基づき、画像の移動方向と量を知る。これに基づき、用紙搬送方向のずれについてはレジストローラ１７からの用紙の送り出しのタイミングを変えることで、また、用紙搬送方向と直交する用紙幅方向のずれについては、版胴８を軸方向に移動調整することにより位置調整する。これらの位置調整は、操作パネル５０上のキー操作で利用者が容易に行うことができる。
【０１７９】
ステップＰ３７で画像位置調整を行ったのち、ステップＰ６０に移行し、試し印刷設定のサブルーチンを実行する。このステップＰ６０では、図２８に示すように、試し印刷設定モードにおける値数入力がなされる。試し印刷では利用者の満足する印刷内容となっていない場合があり、それを課金するのは不当であるので、その枚数をカウントしないための非カウント枚数に相当する数を値数として入力する。
【０１８０】
なお、図示しないが、図２６のフローチャートにおける「スタート」以前のステップにおいて印刷機の管理者が図２８に示すステップに従い値数の入力を完了させることもでき、その場合には当該ステップ６０は省略できる。
【０１８１】
ステップＰ３８〜Ｐ４５：ステップＰ６０で値数入力が終わったら、ステップＰ３８に移る。ステップＰ３８では、試し印刷キー５４のオンをする。これにより調整印刷、つまり、試し印刷のプロセスが開始される。この試し印刷の印刷動作の内容は前記プロセス８に順じ、通常の連続印刷と同じような印刷工程を経て印刷される。
【０１８２】
ステップＰ３８で試し印刷キー５４のオンがされると、次いで、ステップＰ３９でカウンタロックの値数の確認が行われる。カウンタロック値数の確認は、前記ステップＰ６０で入力された値数に従い、次のステップに進む。これらの値数の値に応じて、異なる次のステップに進む。
【０１８３】
ステップＰ３９における値数確認で、値数が０なら試し印刷も課金対象としてカウントすることを意味し、ステップＰ４０に進み、さらに、ステップＰ４１でカウンタが作動して試し印刷が課金の対象としてカウントされる。この場合、ステップＰ４２で試し印刷が課金対象とされるので、カウンタの作動に基づき、図２２に示した枚数、印刷料金、おつりの各値がリアルタイムで減算されて表示される。
【０１８４】
ステップＰ３９における値数確認で、値数が０＞なら、その値の枚数分の試し印刷は課金しないことを意味し、ステップＰ４３に進み、さらに、ステップＰ４４でカウンタが作動しないようにカウンタロックされる。この値数の枚数分はカウンタはロックされ、カウンタされない。つまり、課金対象とはならない。
【０１８５】
ステップＰ４５で試し印刷が終了したら、ステップＰ４６で画像位置がＯＫかどうかの判定が表示部５１の表示により利用者に求められるので、画像の再調整が必要と判断した場合には、ステップＰ３７に移行し、再度試し印刷を行うことができる。
【０１８６】
ステップＰ４７：試し印刷による調整印刷の結果、連続印刷しても問題なしと判断されると、以後、印刷キー５３をオンすることで連続印刷が開始される。ここでの印刷は前記プロセス９に相当する。
【０１８７】
ステップＰ４８：ＣＰＵ５００が認識した所定の入力印刷枚数の印刷がなされたと判断されると、印刷機は停止する。或いは、利用者が意図的に途中で止めることもできる。いずれにしても、利用者は印刷機が停止した時点での印刷枚数分の料金を課金装置８０に支払うことで印刷は終了する。
【０１８８】
［６］請求項に対応する例
図１に示した孔版印刷装置４０及び課金装置８０を具備した印刷装置は、以下のような構成により印刷料金を算出、表示、徴収することができる。
【０１８９】
６．１．請求項７〜１２
請求項７：
図１、図２により説明した孔版印刷装置４０は、（１）  取得した画像データをマスタ１に書き込む書き込み手段として、製版書き込み装置２２、（２）  マスタ１を巻き付けて印刷する印刷手段として、版胴８やステッピングモータ、版胴８に設けたクランパ９やプレスローラ１２、（３）  用紙１３を印刷部へ送り込む給紙手段として給紙ローラ１５、分離ローラ１６、レジストローラ１７、（４）  印刷を行った用紙を排出する排紙手段として排紙装置２６、排紙トレイ２０などを有している。
【０１９０】
版胴８は軸方向に調節移動可能であり、前記ステップＰ３７で述べた画像位置調整可能である。
【０１９１】
用紙の枚数をカウントするカウント手段としては、これから印刷しようとする用紙の枚数としてオペレーターテンキー群５５を用いて入力された情報を認識する制御装置１００内のカウンタが該当する。或いは、レジストローラ１７を含む給紙経路上で印刷のために送られる用紙を検知したセンサからの情報を受け取る制御装置１００内のカウンタ、また、排紙装置２６を含む排紙経路上で、印刷済みの用紙の通過を検知するセンサ及び該センサの情報を受け取り、枚数をカウントする制御装置１００内のカウンタ等が該当する。
【０１９２】
制御装置１００のＣＰＵ５００は、任意枚数当たりの印刷料金データを記憶する記憶手段を有し、また、前記カウント手段によりカウントされた印刷枚数と任意枚数当たりの料金データを基に印刷料金を演算する演算手段を有し、演算手段により得られた料金を課金装置により課金する。こうして演算された印刷料金データを表示手段としての表示部５１に表示することもできる。
【０１９３】
本例では、前記１．１ｉ（１）  インキ種類検知手段の項で説明したように、インキの種類検知手段を有しており、また、前記４．６−２計算例の項で図２３により説明したように、インキ種類毎の用紙任意枚数当たりの印刷料金データ（図２３におけるデータＤ１）を記憶する記憶手段（ＲＡＭ１０２）を有し、インキ種類検知手段からのデータに基づき、任意枚数当たりの印刷料金を記憶手段から選択し、演算手段（ＣＰＵ５００）による演算に使用して演算を実行し、インキの種類を考慮した課金を行う。課金は課金手段としての課金装置８０で行う。
【０１９４】
このように、本例の発明（請求項７）では、インキの種類を検知して、インキの種類毎の印刷料金データを使用することで、実価格に合わせた細かい印刷料金を演算・課金できる。
【０１９５】
請求項８：
請求項８にかかる発明は、図１、図２により説明した孔版印刷装置４０で実施できる。本例では、前記１．１ｊ印刷濃度（画像濃度）可変手段の項で説明したように、印刷濃度可変手段を有しており、また、前記４．６−２計算例の項で図２３により説明したように、印刷濃度（画像濃度）毎の用紙任意枚数当たりの印刷料金データ（図２３におけるデータＤ２）を記憶する記憶手段（ＲＡＭ１０２）を有し、印刷濃度可変手段からのデータに基づき任意枚数当たりの印刷料金を記憶手段から選択し、演算手段（ＣＰＵ５００）による課金の演算に使用する。
【０１９６】
本例の発明では、印刷濃度によりインキ消費量が異なるので、画像濃度毎の印刷料金データを使用することにより、実際のインキ使用量に合わせた細かい印刷料金を演算、課金できる。
【０１９７】
請求項９：
請求項９にかかる発明は、図１、図２により説明した孔版印刷装置４０で実施できる。なお、自動原稿読取装置１０で読み取られた画像データや、ＰＣコントローラ３００を介してのパソコン４００からの画像データは印刷のための画像データとしてＣＰＵ５００に取り込まれる。よって、ＣＰＵ５００は予め画像データを取得（記憶）する画像取得手段でもある。
【０１９８】
ＣＰＵ５００は、記憶した画像データの量に応じて画像データ量毎の用紙任意枚数当たりの印刷料金データを記憶する記憶手段を有し、画像データ量に基づき任意枚数当たりの印刷料金を記憶手段から選択し、前記演算手段による演算に使用する。
【０１９９】
ここで、画像データの量とは、前記４．６−２計算例の項で図２３により説明した画像量計数（画像量比）（図２３におけるデータＤ３）のデータが該当し、かかるデータに基づき任意枚数当たりの印刷料金を記憶手段から選択し、演算手段（ＣＰＵ５００）による課金の演算に使用する。
【０２００】
本例の発明では、画像データの量によりインキ消費量が異なるので、画像データ量毎の印刷料金データを使用することにより、実際のインキの使用量に合わせた細かい印刷料金を演算、課金できる。
【０２０１】
請求項１０：
請求項１０にかかる発明は、図１、図２により説明した孔版印刷装置４０で実施できる。印刷速度可変手段は、図９で説明したように、版胴８を駆動するモータＭ５０のコントローラ６５０が中心をなし、該コントローラにおいて駆動周波数を変えることにより行われる。コントローラ６５０を操作するのは、操作パネル５０におけるキーであり、その意味で操作パネル５０も印刷速度可変手段に含まれる。
【０２０２】
ＣＰＵ５００は、印刷速度毎の用紙任意枚数（例えば１枚）当たりの印刷料金データ（印刷速度係数）を記憶する記憶手段（ＲＡＭ１０２）を有する。
【０２０３】
印刷速度可変手段からの印刷速度データに基づき、前記したように、該印刷速度に対応する印刷速度係数をＲＡＭから呼び出して照合し、印刷速度に応じた印刷速度係数を用いて、前記の演算手段による演算に使用する。
【０２０４】
本例の発明では、印刷速度によりインキ消費量が異なるので、印刷速度に対応した印刷速度係数データを使用することにより、実際のインキの使用量に合わせた細かい印刷料金を演算、課金できる。
【０２０５】
請求項１１：
請求項１１にかかる発明は、図１、図２により説明した孔版印刷装置４０で実施できる。
【０２０６】
本例では、前記１．１ｉ（３）  用紙サイズ検知手段の項で説明したように、用紙サイズ検知手段を有しており、また、前記４．６−２計算例の項で図２３により説明したように、用紙サイズ毎の用紙任意枚数当たりの印刷料金データ（図２３におけるデータＤ４）を記憶する記憶手段（ＲＡＭ１０２）と、前記カウント手段によりカウントされた印刷枚数と任意枚数当たりの印刷料金データを基に印刷料金を演算する演算手段（ＣＰＵ）とを有する。印刷用紙のサイズを検知することで、予め記憶している印刷用紙サイズ毎の任意枚数当たりの印刷料金データに基づき印刷料金の演算を行い、その料金を課金するのである。
【０２０７】
本例の発明では、印刷用紙サイズにより用紙の価格が異なるので、印刷用紙サイズを検知し、検知したサイズの価格に合わせた細かい印刷料金を演算、課金できる。
【０２０８】
請求項１２：
課金の基となる各種の料金データは、前記４．１インキ単価の登録例、４．２画像濃度係数の登録例、４．３画像量係数の登録例、４．４用紙サイズ係数の登録例、４．５印刷単価の登録例、４．６印刷速度係数の登録例などの項で説明した入力例に準じて、内容の変更など必要に応じて入力手段としての操作パネル５０からの入力により変更可能である。
【０２０９】
本例の発明では、料金データを入力手段から入力できるので、実情に応じた印刷料金を演算、課金できるので、きめ細かいサービスを提供できる。
【０２１０】
６．２．請求項１〜６
請求項１：
請求項１にかかる発明は、図１、図２により説明した孔版印刷装置４０で実施できる。
【０２１１】
製版直後の印刷とは、所謂版付け印刷のことをいう。版付け印刷は製版直後の印刷であって印刷の状態を調整するためのものであり、商品として成立しない場合もある。にもかかわらず、前記５．２  印刷及び課金（ケース１）で例示したケースでは版付けも含めて課金の対象としている。これでは不合理であるので、本発明では、図２７のフローで値数入力された枚数の版付け印刷について図２６のステップＰ３５でカウンタロックされた「版付け」は、印刷枚数にカウントせず課金しない。
【０２１２】
製版直後の印刷といっても、調整が１枚で済まない場合もあるので課金対象としない製版直後の印刷枚数は１枚に限らず数枚について入力可能とした。（ｎ＞０）（ｎは正の整数）。また、これとは反対に、製版直後の印刷であっても、調整の必要がない程きれいに印刷できている場合もあり得る。かかる場合には、製版直後の印刷であって、課金対象とはしない印刷枚数ｎ＝０となる。これは版付け印刷しないという意味ではなく、版付け印刷についても課金の対象となるという意味である。
【０２１３】
具体的には、図２７に示した値数入力のステップにおいて設定され、図２６のフローチャートでステップＰＰ３５におけるカウンタロックの枚数として、ｎ枚分だけカウントされず、課金を免れる。このように、製版直後の印刷である「版付け」は、環境条件や使用条件により印刷画像に不具合（画像薄いやにじむによる文字つぶれ）が発生する場合があるので、「版付け」をカウントせず、印刷料金を課金しないことで、利用者は使用に耐え得る印刷物のみ印刷料金を支払えばよい。また、版付けも印刷画像に不具合を生じないような印刷機では、版付けを課金することもできる。
【０２１４】
請求項２：
製版直後の印刷である「版付け」は、１枚で調整が済むケースが多いので実状に合わせて、版付けであって、課金対象としない印刷枚数を１枚とした（ｎ＝１）。
この場合、図２７で示したように、利用者が値数入力するのではなく、予め値数をＲＡＭ１０２に記憶させておくことができる。利用者は１回だけ版付けを行い、状態を見てから連続印刷に入るので安心である。また、値数入力の手間も省ける。
【０２１５】
請求項３：
利用者、管理者などは、上記ｎの値数を、図２６におけるステップＰ５０において入力手段としての操作パネル５０のキーを用いて、容易に入力可能であり、値数の変更も可能である。
【０２１６】
請求項４：
請求項４にかかる発明は、図１、図２により説明した孔版印刷装置４０で実施できる。また、図２５に示したフローチャートの手順に従い印刷できる。この場合、版付け印刷はうまくできても、用紙上での画像位置がずれている場合があり、画像位置を調整したい場合もある。
【０２１７】
かかる場合には、ステップＰ２４において、版胴８を軸方向に移動調整したり、或いは、レジストローラ１７による用紙の送り出しのタイミングを調整するなどして、用紙上での画像位置を調整可能にし、入力手段たる操作パネル５０に備えた試し印刷キー５４により試し印刷を可能にした。
【０２１８】
試し印刷といえども用紙やインキ代が発生しているので、本来は商売上課金すべきところであるが、不具合が発生する場合があるので、課金としてのカウンタを作動させないこととした。これにより、試しキー５４による印刷は課金対象とはされない。
【０２１９】
請求項５、６の例：
上記請求項４の例の場合、試しキー５４による印刷は課金対象とされないことから、例えば、誤操作等により試しキーの操作で多数枚の印刷がされるとその分の印刷料金が徴収されない。これでは不合理なので、同一のマスタについて前記「試し印刷キー」による印刷可能な回数を制限することとした。この制限枚数については、印刷機の特性等により異なり、一律に定めることができないので、その印刷機に合わせた任意の回数を指定してその指定された回数の試し印刷についてのみ、課金の対象から外すことにした。
【０２２０】
課金されない試し印刷の枚数は、図２８に示したフローにおいて任意の値の値数として実使用条件に合わせて細かく設定可能である。かかる値数の入力により、該値数分だけの「試し印刷キー」の操作による印刷が、図２６におけるステップＰ４４でカウンタロック（ステップＰ４４）されて課金対象から除外される。
【０２２１】
６．３．請求項１３〜１６
請求項１３：請求項１乃至１２のうち、２以上の各請求項に記載された構成を具備した印刷装置とする。
【０２２２】
請求項１４：請求項１乃至１３の何れかに記載の印刷装置において、演算手段または課金手段で得られた結果を表示する表示手段を有する。演算手段は、ＣＰＵ５００であり、また、課金手段は課金装置８０である。ＣＰＵ５００で得られた演算結果は操作パネル５０の表示部５１に表示することができる。課金装置８０で得られた結果、例えば、投入金の額、おつりの額などは、課金装置８０に設けた表示部８２或いは操作パネル５０の表示部５１に表示することができる。これにより、利用者は印刷料金や課金状況を知ることができる。
【０２２３】
請求項１５：任意枚数当たりの印刷料金データを記憶するのは記憶手段（ＲＡＭ）であり、カウント手段によりカウントされた印刷枚数と任意枚数当たりの印刷料金データを基に印刷料金を演算する演算手段などはＣＰＵ５００に含まれる。
【０２２４】
本例では、孔版印刷装置４０にＣＰＵ５００を含む制御装置１００を内蔵し、課金装置８０は別体構成としたが、この例に限らず、ＣＰＵ５００を含む制御装置１００を孔版印刷装置４０とは別体として設けたり、或いは、課金装置８０を孔版印刷装置に内蔵することもできるし、さらに、少なくともＣＰＵを含む演算手段、具体的には制御装置１００、課金装置８０の何れか又は全部を印刷装置（本例における孔版印刷装置４０）とは別体とすることもできる。同様に、表示手段としての表示部５１，表示部９２や、印刷料金データを入力する入力手段としての操作パネル５０の各キー群などについても、別体とすることができる。このように別体とすることで、印刷料金を演算、課金、表示しない従来の印刷装置に対して、該別体の機器を組み合わせることで、本発明にかかる印刷装置を容易に構成することができる。
【０２２５】
請求項１６：マスタにかかる料金を記憶する記憶手段と、前記記憶手段のデータを個別に、または印刷料金を加算して課金し、その結果を表示する表示手段を有することを特徴とする印刷装置。
【０２２６】
マスタも印刷料金を構成する要素であることから、本発明では、マスタのコストも印刷料金に加味できるようにする。マスタのコストはマスタの大きさ（サイズ）、マスタの種類などに左右される。そこで、マスタの大きさ、種類などを印刷機に備えたセンサにより検知する。例えば、マスタロール１ａの大きさを反射型のセンサにより検知し、その検知信号により、ＣＰＵ５００はマスタのサイズ（幅）を検知することができる。同様に、センサにより、マスタに予め記されたマスタの種類を示すマークを読み取り、その検知信号からＣＰＵ５００はマスタの種類を読み取ることができる。
【０２２７】
一方、ＣＰＵ５００には、予め、使用が想定される多種のマスタの種類、各種のサイズと価格とを対応させたデータを入力しておき、このデータと、上記センサにより検知したマスタサイズや種類の情報とを照合することにより、現在使用しているマスタの料金を算出して、これを印刷料金に反映させ、他の印刷料金データと合わせて、課金の対象とする。
【０２２８】
マスタの料金を含む料金データは、適宜、表示部５１や、表示部８２に表示させることができる。表示に際しては、マスタにかかる料金を印刷料金と別々に表示または、マスタにかかる料金と印刷にかかる料金を加算して１つにして表示させることができる。
【０２２９】
これにより、印刷機特有のマスタに対する課金を行うことができる。また、マスタに対する課金を単独で表示したり、印刷料金に加算して１つに表示できるので、よりきめ細かい料金を課金・表示することができる。
【０２３０】
【発明の効果】
請求項１記載の発明では、製版直後の印刷で環境条件や使用条件により印刷画像に不具合（画像が薄い場合やにじみによる文字のつぶれ）が発生する場合、かかる版付けは、１枚目だけでなく２枚〜数枚に及ぶ場合があり、任意の枚数をカウントせず、印刷料金を課金しないことで、利用者は使用に耐え得る印刷物のみ印刷料金を支払えばよい。また、版付け印刷であっても品質として問題ない場合には課金することで、管理者は相当の対価を得る。
【０２３１】
請求項２記載の発明では、製版直後の印刷である「版付け」は、１枚で調整が済むケースが多いので実状に合わせて、版付けであって、課金対象としない印刷枚数を１枚とした（ｎ＝１）。
【０２３２】
請求項３記載の発明では、入力手段により、任意のｎを入力設定できるので、無駄なく使用できる。
【０２３３】
請求項４記載の発明では、「試しプリント」キーによる印刷は、カウントせず課金しないことにより、利用者は、画像位置が本意でない印刷物にして印刷料金を支払う必要がない。
【０２３４】
請求項５記載の発明では、誤操作による「試しプリント」キーでの印刷を制限することができる。
【０２３５】
請求項６記載の発明では、「試しプリント」キーによる印刷枚数を任意に入力設定できるので、実使用条件に合わせて細かく設定できる。
【０２３６】
請求項７記載の発明では、インキの種類を検知して、インキの種類毎の印刷料金データを使用することで、実価格に合わせた細かい印刷料金を演算・課金できる。
【０２３７】
請求項８記載の発明では、印刷濃度によりインキ消費量が異なるので、画像濃度毎の印刷料金データを使用することにより、実際のインキ使用量に合わせた細かい印刷料金を演算、課金できる。
【０２３８】
請求項９記載の発明では、画像データの量によりインキ消費量が異なるので、画像データ量毎の印刷料金データを使用することにより、実際のインキの使用量に合わせた細かい印刷料金を演算、課金できる。
【０２３９】
請求項１０記載の発明では、印刷速度によりインキ消費量が異なるので、印刷速度の設定に応じたインキの使用量に合わせた細かい印刷料金を演算、課金できる。
【０２４０】
請求項１１記載の発明では、印刷用紙サイズにより用紙の価格が異なるので、印刷用紙サイズを検知し、検知したサイズの価格に合わせた細かい印刷料金を演算、課金できる。
【０２４１】
請求項１２記載の発明では、各請求項に記載されている料金データを入力手段から入力できるので、実情に応じた印刷料金を演算、課金できるので、きめ細かいサービスを提供できる。
【０２４２】
請求項１３記載の発明では、各請求項に記載されている発明を少なくとも２つ以上組み合わせることにより、よりきめ細かく印刷料金を演算、課金できる。
【０２４３】
請求項１４記載の発明では、各請求項に記載されている発明により得られた演算結果や、課金手段で得られた情報を表示手段により表示することにより、利用者が料金や、課金状況を知ることができる。
【０２４４】
請求項１５記載の発明では、各請求項に記載されている発明にある任意枚数当たりの印刷料金データを記憶する記憶手段や前記カウント手段によりカウントされた印刷枚数と任意枚数当たりの印刷料金データを基に印刷料金を演算する演算手段や、演算手段により得られた料金を課金する課金手段や演算手段または課金手段で得られた結果を表示する表示手段や、印刷料金データを入力する入力手段のうち、少なくとも１つ以上を別体とすることで、印刷料金を演算、課金、表示しない従来の印刷装置を共通使用できるので、本発明による印刷装置を安価で提供することができる。
【０２４５】
請求項１６記載の発明では、請求項１〜１５に記載されている発明について、印刷装置特有であるマスタに対する課金を合わせて行うことができる。また、マスタに対する課金を単独で表示したり、印刷料金に加算して１つに表示できるので、よりきめ細かい料金を課金、表示できる。
【図面の簡単な説明】
【図１】孔版印刷装置の全体システムの概略構成を説明した図である。
【図２】孔版印刷装置の本体部分の概略構成を説明した図である。
【図３】操作パネルの正面図である。
【図４】自動原稿読取装置の原稿セット部を説明した斜視図である。
【図５】原稿セット部の原稿サイズ検知部を説明した図である。
【図６】図６（ａ）は給紙トレイ部の斜視図、図６（ｂ）はサイドフェンスと連動して移動する摺動子の拡大図である。
【図７】給紙トレイの斜視図である。
【図８】図８（ａ）は版胴内部に設けられたインキ供給手段６７の外観斜視図、図８（ｂ）はインキ溜りにその先端部が浸されているインキ検知針を説明した図である。
【図９】印刷装置の制御系を説明したブロック図である。
【図１０】インキ単価の登録手順を説明したフローチャートである。
【図１１】インキ単価の登録データを例示した図である。
【図１２】画像濃度係数の登録手順を説明したフローチャートである。
【図１３】画像濃度係数の登録データを例示した図である。
【図１４】画像量係数の登録手順を説明したフローチャートである。
【図１５】画像量係数の登録データを例示したフローチャートである。
【図１６】用紙サイズ係数の登録手順を説明したフローチャートである。
【図１７】用紙サイズ係数の登録データを例示した図である。
【図１８】印刷単価の登録手順を説明したフローチャートである。
【図１９】印刷単価の登録データを例示した図である。
【図２０】印刷速度係数の登録手順を説明したフローチャートである。
【図２１】印刷速度係数の登録データを例示した図である。
【図２２】表示部における印刷料金の表示例を示した図である。
【図２３】印刷料金課金の計算例を説明した図である。
【図２４】印刷準備サブルーチンのフローチャートである。
【図２５】課金行う印刷機の印刷手順を説明したフローチャートである。
【図２６】課金を行う印刷機の印刷手順を説明したフローチャートである。
【図２７】課金しない版付け回数にかかる値数入力にかかるフローチャートである。
【図２８】課金しない試し印刷回数にかかる値数入力にかかるフローチャートである。
【符号の説明】
８  （印刷手段の一部である）版胴
１５  （給紙手段の一部である）給紙ローラ
２２  （書込み手段としての）製版書き込み装置
５１、８１  （表示手段としての）表示部
１０２  （記憶手段としての）ＲＡＭ
５００  （演算手段としての）ＣＰＵ
【図１】
2005028666.tif 000003
【図２】
2005028666.tif 000004
【図３】
2005028666.tif 000005
【図４】
2005028666.tif 000006
【図５】
2005028666.tif 000007
【図６】
2005028666.tif 000008
【図７】
2005028666.tif 000009
【図８】
2005028666.tif 000010
【図９】
2005028666.tif 000011
【図１０】
2005028666.tif 000012
【図１１】
2005028666.tif 000013
【図１２】
2005028666.tif 000014
【図１３】
2005028666.tif 000015
【図１４】
2005028666.tif 000016
【図１５】
2005028666.tif 000017
【図１６】
2005028666.tif 000018
【図１７】
2005028666.tif 000019
【図１８】
2005028666.tif 000020
【図１９】
2005028666.tif 000021
【図２０】
2005028666.tif 000022
【図２１】
2005028666.tif 000023
【図２２】
2005028666.tif 000024
【図２３】
2005028666.tif 000025
【図２４】
2005028666.tif 000026
【図２５】
2005028666.tif 000027
【図２６】
2005028666.tif 000028
【図２７】
2005028666.tif 000029
【図２８】
2005028666.tif 000030